(57)【特許請求の範囲】
【請求項１】
無線通信システムにおいて、ユーザー装置（ＵＥ）を操作するための方法であって、
前記方法は下記を具備する、
前記無線通信システムとの初期接続時に、前記ＵＥの１つまたはそれ以上の能力を表示する第１メッセージを送信することと、
前記ＵＥがマルチキャスト／ブロードキャストサービスを受信しているか、またはまさに受信しようとしていることを表示する第２メッセージを送信することと、
前記第２メッセージの結果として、１つまたはそれ以上の所定のルールにしたがってスケジュールされたデータを受信すること、
ここにおいて、前記所定のルールは、ダウンリンクブロードキャスト送信レートに基づいたダウンリンクユニキャスト送信レートを調整することに関する。
【請求項２】
前記ＵＥが、測定報告に、前記第２メッセージを付加する、請求項１の方法。
【請求項３】
前記ＵＥが、それが、バイナリーステータスフラッグとして、前記第２メッセージにおける前記マルチキャスト／ブロードキャストサービスを受信しているか、またはまさに受信しようとしているかどうかをシグナルする、請求項１の方法。
【請求項４】
前記第１メッセージが、ユニキャストサービスのみをサポートする前記ＵＥに応答して、ユニキャストの能力の表示を備える、請求項１の方法。
【請求項５】
前記第１メッセージが、前記ユニキャストサービスおよび前記マルチキャスト／ブロードキャストサービスの両方をサポートする前記ＵＥに応答して、減らされたユニキャストの能力の表示を備える、請求項４の方法。
【請求項６】
前記ユニキャストの能力は、カテゴリー１からカテゴリー８までの範囲である、請求項４の方法。
【請求項７】
前記ユニキャストの能力は、前記マルチキャスト／ブロードキャストサービスを受信する前記ＵＥに応答して、少なくとも１つの所定のレベルによってダウングレードされる、請求項６の方法。
【請求項８】
前記第１メッセージは、前記マルチキャスト／ブロードキャストサービスのみをサポートする前記ＵＥに応答して、マルチキャスト／ブロードキャストの能力の表示を備える、請求項１の方法。
【請求項９】
前記第１メッセージは、ユニキャストサービスおよび前記マルチキャスト／ブロードキャストサービスの両方をサポートする前記ＵＥに応答して、減らされたマルチキャスト／ブロードキャストの能力の表示を備える、請求項８の方法。
【請求項１０】
前記マルチキャスト／ブロードキャストの能力は、カテゴリー１からカテゴリー８の範囲である、請求項８の方法。
【請求項１１】
前記マルチキャスト／ブロードキャストの能力は、ユニキャストサービスを受信する前記ＵＥに応答して、少なくとも１つの所定のレベルによってダウングレードされる、請求項１０の方法。
【請求項１２】
前記データを受信することは、（ａ）前記マルチキャスト／ブロードキャストサービスに割り当てられるブロードキャストデータレートおよび（ｂ）前記第１メッセージを考慮するユニキャストデータレートにおいて、ユニキャストデータを受信することを備える、請求項１の方法。
【請求項１３】
前記所定のルールは、前記ＵＥの前記１つまたはそれ以上の能力を考慮する、請求項１の方法。
【請求項１４】
無線通信システムとの初期接続時に、ユーザー装置（ＵＥ）の１つまたはそれ以上の能力を表示する第１メッセージを送信するための手段と、
前記ＵＥが、マルチキャスト／ブロードキャストサービスを受信しているか、またはまさに受信しようとしていることを表示する第２メッセージを送信するための手段と、
１つまたはそれ以上の所定のルールにしたがってスケジュールされたデータを、前記第２メッセージの結果として受信するための手段であって、前記所定のルールは、ダウンリンクブロードキャスト送信レートに基づいたダウンリンクユニキャスト送信レートを調整することに関する、手段と、
を備える、装置。
【請求項１５】
ユーザー装置（ＵＥ）の１つまたはそれ以上の能力を表示する第１メッセージを無線通信システムとの初期接続時に送信し、前記ＵＥが、マルチキャスト／ブロードキャストサービスを受信しているか、またはまさに受信しようとしていることを表示する第２メッセージを送信し、そして１つまたはそれ以上の所定のルールに従ってスケジュールされたデータを、前記第２メッセージの結果として受信するように構成された少なくとも１つのプロセッサであって、前記所定のルールは、ダウンリンクブロードキャスト送信レートに基づいたダウンリンクユニキャスト送信レートを調整することに関する、プロセッサと、
データを記憶するための前記少なくとも１つのプロセッサに結合されたメモリと、
を備える装置。
【請求項１６】
コンピュータ可読記憶媒体は下記を備え、
コンピュータに下記をさせるためのコードを具備するコンピュータ読取可能媒体、
ユーザー装置（ＵＥ）の１つまたはそれ以上の能力を表示する第１メッセージを、無線通信システムとの初期接続時に送信することと、
前記ＵＥが、マルチキャスト／ブロードキャストサービスを受信しているか、またはまさに受信しようとしていることを表示する第２メッセージを送信することと、
１つまたはそれ以上の所定のルールにしたがってスケジュールされたデータを、前記第２メッセージの結果として受信することと、
ここにおいて、前記所定のルールは、ダウンリンクブロードキャスト送信レートに基づいたダウンリンクユニキャスト送信レートを調整することに関する。
【請求項１７】
無線通信システムにおけるネットワークエンティティによって操作するための方法であって、
前記方法は下記を備える、
前記ＵＥの１つまたはそれ以上の能力を表示する第１メッセージを、ユーザー装置（ＵＥ）から、前記無線通信システムと前記ＵＥの初期接続時に受信することと、
前記ＵＥが、マルチキャスト／ブロードキャストサービスを受信しているか、またはまさに受信しようとしていることを表示する前記ＵＥから第２メッセージを受信することと、
前記第２メッセージに応答して、１つまたはそれ以上の所定のルールにしたがって、前記ＵＥに関するダウンリンクデータをスケジュールすることと、
ここにおいて、前記所定のルールは、ダウンリンクブロードキャスト送信レートに基づいたダウンリンクユニキャスト送信レートを調整することに関する。
【請求項１８】
前記１つまたはそれ以上の所定のルールは、
前記第２メッセージが、前記ＵＥが、ユニキャストおよびマルチキャスト／ブロードキャストサービスの同時サポートを開始していることを表示するとき、ＵＥ−カテゴリー−ベースの複数の送信パラメータを含む１つまたはそれ以上のルックアップテーブルの第１セットを調べることと、
前記第２メッセージが、前記ＵＥが、ユニキャストおよびマルチキャスト／ブロードキャストサービスの同時サポートを終了していることを表示するとき、ＵＥ−カテゴリー−ベースの複数の送信パラメータを含む１つまたはそれ以上のルックアップテーブルの第２セットを調べることと、
を含む、請求項１７の方法。
【請求項１９】
１つまたはそれ以上のルックアップテーブルの前記第１セットは、特定のＵＥのカテゴリーに関して、１つまたはそれ以上のルックアップテーブルの前記第２セットが前記特定のＵＥのカテゴリーに関して含むよりも小さいユニキャストの受信に関するトランスポートブロックサイズを含む、請求項１８の方法。
【請求項２０】
前記１つまたはそれ以上の所定のルールは、
前記第２メッセージが、前記ＵＥが、ユニキャストおよびマルチキャスト／ブロードキャストサービスの同時サポートを開始していることを表示するとき、前記ＵＥに関連するカテゴリーを、複数のレベルの所定の数値によって、ダウングレードすることと、
前記第２メッセージが、前記ＵＥが、ユニキャストおよびマルチキャスト／ブロードキャストサービスの同時サポートを終了していることを表示するとき、前記ＵＥに関連する前記カテゴリーを、名目上の値に復元することと、
を含む、請求項１７の方法。
【請求項２１】
前記ＵＥに関連する前記カテゴリーは、ユニキャストサービスのみに関してダウングレードされる、請求項２０の方法。
【請求項２２】
前記第１メッセージは、ユニキャストサービスのみをサポートする前記ＵＥに応答して、ユニキャストの能力の表示を備える、請求項１７の方法。
【請求項２３】
前記第１メッセージは、前記ユニキャストサービスおよび前記マルチキャスト／ブロードキャストサービスの両方をサポートする前記ＵＥに応答して、減らされたユニキャストの能力の表示を備える、請求項２２の方法。
【請求項２４】
前記第１メッセージは、前記マルチキャスト／ブロードキャストサービスのみをサポートする前記ＵＥに応答して、マルチキャスト／ブロードキャストの能力の表示を備える、請求項１７の方法。
【請求項２５】
前記第１メッセージは、ユニキャストサービスおよび前記マルチキャスト／ブロードキャストサービスの両方をサポートする前記ＵＥに応答して、減らされたマルチキャスト／ブロードキャストの能力の表示を備える、請求項２４の方法。
【請求項２６】
前記データをスケジュールすることは、（ａ）前記マルチキャスト／ブロードキャストサービスに割り当てられたブロードキャストデータレートおよび（ｂ）前記第１メッセージを考慮するユニキャストデータレートにおけるユニキャストデータの送信をスケジュールすることを備える、請求項１７の方法。
【請求項２７】
前記所定のルールは、前記ＵＥの前記１つまたはそれ以上の能力を考慮する、請求項１７の方法。
【請求項２８】
前記ネットワークエンティティは、ｅＮｏｄｅＢを備える、請求項１７の方法。
【請求項２９】
ユーザー装置（ＵＥ）の１つまたはそれ以上の能力を表示する第１メッセージを、前記ＵＥから、無線通信システムと前記ＵＥの初期接続時に受信するための手段と、
前記ＵＥが、マルチキャスト／ブロードキャストサービスを受信しているか、またはまさに受信しようとしていることを表示する前記ＵＥから、第２メッセージを受信するための手段と、
前記第２メッセージに応答して、１つまたはそれ以上の所定のルールにしたがって、前記ＵＥに関するダウンリンクデータをスケジュールするための手段であって、前記所定のルールは、ダウンリンクブロードキャスト送信レートに基づいたダウンリンクユニキャスト送信レートを調整することに関する、手段と、
を備える装置。
【請求項３０】
ユーザー装置（ＵＥ）の１つまたはそれ以上の能力を表示する第１メッセージを、前記ＵＥから、無線通信システムと前記ＵＥの初期接続時に受信し、前記ＵＥが、マルチキャスト／ブロードキャストサービスを受信しているか、またはまさに受信しようとしていることを表示する前記ＵＥから第２メッセージを受信し、そして前記第２メッセージに応答して、１つまたはそれ以上の所定のルールに従って、前記ＵＥに関するダウンリンクデータをスケジュールするように構成された少なくとも１つのプロセッサであって、前記所定のルールは、ダウンリンクブロードキャスト送信レートに基づいたダウンリンクユニキャスト送信レートを調整することに関する、プロセッサと、
データを記憶するための前記少なくとも１つのプロセッサに結合されたメモリと、
を備える１つの装置。
【請求項３１】
コンピュータ可読記憶媒体は下記を備え、
コンピュータに下記をさせるためのコードを具備するコンピュータ−読取可能媒体、
前記ＵＥの１つまたはそれ以上の能力を表示する第１メッセージを、ユーザー装置（ＵＥ）から、無線通信システムと前記ＵＥの初期接続時に受信することと、
前記ＵＥが、マルチキャスト／ブロードキャストサービスを受信しているか、またはまさに受信しようとしていることを表示する前記ＵＥから第２メッセージを受信することと、
前記第２メッセージに応答して、１つまたはそれ以上の所定のルールに従って、前記ＵＥに関するダウンリンクデータをスケジュールすることと、
ここにおいて、前記所定のルールは、ダウンリンクブロードキャスト送信レートに基づいたダウンリンクユニキャスト送信レートを調整することに関する。
【発明の詳細な説明】
【関連出願への相互参照】
【０００１】
本特許出願は、「無線通信システムにおける同時ユニキャストおよびマルチキャスト／ブロードキャストサービスの管理方法及び装置」と題される２０１１年４月２９日に出願された米国仮特許出願番号６１／４８１，０６４に対して優先権を主張するものであり、譲受人に譲渡され、その全文がここに参照として包含されている。
【技術分野】
【０００２】
本開示の観点は、一般的に無線通信システムに関し、より詳細には、このようなシステムにおける同時ユニキャストおよびマルチキャスト／ブロードキャストサービスを管理するための技術に関する。
【背景技術】
【０００３】
無線通信ネットワークは、音声、ビデオ、パケットデータ、メッセージング、ブロードキャスト等のような、さまざまな通信サービスを提供するために、広範囲に展開されている。これらの無線ネットワークは、利用可能なネットワークリソースを共有することによって複数のユーザーをサポートできる多元接続ネットワークであってもよい。このような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交周波数分割多元接続（ＯＦＤＭＡ）ネットワークと、単一キャリアＦＤＭＡ（ＳＣ−ＦＤＭＡ）ネットワークとを含む。
【０００４】
無線通信ネットワークは、多数のユーザー機器（ＵＥ）に関する通信をサポートできる多数の基地局を含むことができる。ＵＥは、ダウンリンクとアップリンクとを通して、基地局と通信する。ダウンリンク（または、フォワードリンク）は、基地局からＵＥへの通信リンクを意味し、アップリンク（または、リバースリンク）は、ＵＥから基地局への通信リンクのことを意味する。
【０００５】
無線通信システムにおいて、ＵＥは、ＵＥとネットワーク間の双方向ポイント―‐ツ―‐ポイント通信を提供する専用ユニキャストサービスを使って通信することができる。このようなユニキャストサービスは様々な伝送速度で行われ、伝送速度は、ＵＥがシステムによって認識される後の時刻のある地点において定義されるかまたは取り決められる。一般に入手可能な別の通信サービスは、一対多数のアレンジメント（arrangement）をサポートしており、一般にブロードキャストサービスとして知られるようになった。一般に定義されて、そして受け入れられた複数のブロードキャスト通信サービスのうちの一つはマルチメディアブロードキャスト／マルチキャストサービス（ＭＢＭＳ）として知られている。３ＧＰＰロングタームエボリューション（ＬＴＥ）システムのコンテクストの中で、このようなサービスは発展型マルチメディアブロードキャスト／マルチキャストサービス（ｅＭＢＭＳまたはＥＭＢＭＳ）として知られている。
【０００６】
ＵＥにおけるｅＭＢＭＳサービスとユニキャストサービスを同時にサポートすることはいくつかの課題を提起する。１つの課題は、２つのサービスを同時にサポートするかどうかが、ＵＥの設計者に残された実装選択であって、すべてのＵＥが２つのサービスを同時にサポートするのではないということである。このことは、両方のサービスをサポートする機会に現れた時、ＵＥが、２つのサービスの間で選択しなくてはならないことを意味している。両サービスを同時にサポートできないＵＥは、例えば、ユニキャストサービスにまさって、ｅＭＢＭＳサービスを優先することを選択できる。少なくとも２つの課題は以下の（１）、（２）において発生し得る。（１）ＵＥは、それが、ｅＭＢＭＳトラヒックを受信している間、重要なユニキャストトラヒックをミスする可能性があり、そして（２）それは、ｅＮｏｄｅＢ（基地局）が、ｅＭＢＭＳサービスの利点において、ＵＥがユニキャストサービスを自主的に切り離したことを理解するのに時間がかかり、その結果非能率となる。
【０００７】
ＵＥにおいて同時ユニキャストおよびｅＭＢＭＳサービスを提供することに関連するもう１つの課題は、ＵＥが２つのサービスを同時にサポートする場合であっても、サービスの１つ（典型的にユニキャストサービス）の送信パラメータの変更が、ＵＥが両方のサービスを同時にサポートすることを許可することを要求され得ることである。例えば、特定のＵＥは、ｅＭＢＭＳサービスが途絶することなく継続することを許可するために、より低いデータレートで、ユニキャストトラヒックを受信する必要があるかもしれない。いくつかの現在の設計は、必要とされるベースでの非要求型ＵＥ能力情報メッセージを送信することを通して、ＵＥがネットワークを用いてその能力をアップデートするのを許可することによって、この問題を解決することを試みる。これは、ＵＥが同時ユニキャストおよびｅＭＢＭＳサービスをサポートするのを支援するが、それは、それが導入する付加的な不確実性ゆえに、基準―コンプライアンス認証試験を複雑にする。
【発明の概要】
【０００８】
図面において示される本発明の例示的な実施例は下記に要約される。これらおよび別の実施例は詳細な説明部分において、さらに良く説明されている。しかし、本発明の要約において、または詳細な説明において説明される形式に対して、本発明を限定する意図は無いことが理解されるべきである。
【０００９】
無線通信システムにおける複数の同時ユニキャストおよびマルチキャスト／ブロードキャストサービスを管理するための複数の技術は、ここで説明される。本開示の１つの観点は、ＵＥの１つまたはそれ以上の能力を表示する第１メッセージを、無線通信システムとの初期接続時に、送信することと、ＵＥが、ユニキャストおよびマルチキャスト／ブロードキャストサービスの同時サポートを開始しているか、または終了していることを表示する第２メッセージを送信することと、および第２メッセージの結果として、１つまたはそれ以上の所定のルールにしたがって、スケジュールされたデータを受信することとを備える無線通信システムにおけるユーザー装置（ＵＥ）を操作するための方法である。
【００１０】
本開示の別の観点は、ＵＥの１つまたはそれ以上の能力を表示する第１メッセージを、無線通信システムとのＵＥの初期接続時に、ＵＥから受信することと、ＵＥが、ユニキャストおよびマルチキャスト／ブロードキャストサービスの同時サポートを開始しているか、または終了していることを表示するＵＥからの第２メッセージを受信することと、および第２メッセージに応じて、１つまたはそれ以上の所定のルールに従って、ＵＥに関するデータをスケジュールすることを備える無線通信システムを操作するための方法である。
【００１１】
本開示の別の観点は、ユニキャストサービスおよびマルチキャストサービスに関連する優先情報を決定することと、およびサポートするためのマルチキャスト／ブロードキャストサービスおよびユニキャストサービスのいずれか１つを選択中であるＵＥを支援するためのユーザー装置（ＵＥ）に対して、優先情報を送信することとを備える無線通信システムを操作するための方法である。
【００１２】
ユニキャストサービスおよびマルチキャスト／ブロードキャストサービスに関連する優先情報を受信することと、および少なくとも一部において、受信された優先情報に基づいてサポートするためのマルチキャスト／ブロードキャストおよびユニキャストサービスサービスのいずれか１つを決定することとを備える無線通信システムにおけるＵＥを操作するための方法である。
【００１３】
本開示の別の観点は、マルチキャスト／ブロードキャストサービスをサポートするために、ユニキャストサービスを自発的に切断することと、およびＵＥが、ユニキャストサービスを自発的に切り離すことを決めたという通知を送信することとを備える無線通信システムにおけるＵＥを操作するための方法である。
【００１４】
本開示の別の観点は、ユーザー装置にユニキャストサービスを送信することと、ＵＥがユニキャストサービスを自発的に切断することを決めたというＵＥからの通知を受信することを備える無線通信システムを操作するための方法である。
【００１５】
これらおよび別の実施例は、本発明の方法を実行するための複数のコンピュータ−読取可能記憶媒体および複数の装置を含み、ここでさらに詳細に説明される。
【００１６】
前述した、および関連する複数の目的を達成するために、１つまたはそれ以上の実施例は、下記に十分に説明され、そして請求項に特に指摘される特徴を含む。以下の説明および添付される図面は、１つまたはそれ以上の特定の例示的な観点を詳細に説明する。しかし、これらの観点は、様々な実施例の原理が採用されることができる様々な方法のいくつかを示しているにすぎず、説明される実施例は、このようなすべての観点およびの等価物を含むことを意図している
【図面の簡単な説明】
【００１７】
【図１】図１は、本発明の様々な例示的な実施例が実施されることができる電気通信システムの１例を、概念的に図示するブロック図である。
【図２】図２は、本開示の１つの観点にしたがって構成されたＵＥおよび基地局／ｅＮｏｄｅＢの設計を概念的に図示するブロック図である。
【図３Ａ】図３Ａは、本開示の１つの観点にしたがった無線通信システムにおける同時ユニキャストおよびマルチキャスト／ブロードキャストサービスを管理するための方法のフローチャートである。
【図３Ｂ】図３Ｂは、本開示のもう１つの観点にしたがった無線通信システムにおける同時ユニキャストおよびマルチキャスト／ブロードキャストサービスを管理するための方法のフローチャートである。
【図３Ｃ】図３Ｃは、本開示のさらにもう一つの観点にしたがった無線通信システムにおける同時ユニキャストおよびマルチキャスト／ブロードキャストサービスを管理するための方法のフローチャートである。
【図４】図４は、本開示の１観点にしたがった、基地局／ｅＮｏｄｅＢとＵＥの機能ブロック図である。
【図５】図５は、本開示の１つの観点にしたがって、無線通信システムにおける複数のサービスに優先順位をつけるための方法のフローチャートである。
【図６】図６は、本開示の１観点にしたがった、基地局／ｅＮｏｄｅＢとＵＥの機能ブロック図である。
【図７】図７は、本開示の１つの観点にしたがって、無線通信システムにおけるサービスからの切断を管理するための方法のフローチャートである。
【図８】図８は、本開示の１観点にしたがった基地局／ｅＮｏｄｅＢとＵＥの機能ブロック図である。
【図９】図９は、モバイルエンティティによって操作可能な同時ユニキャストおよびマルチキャスト／ブロードキャストサービスを管理するための方法論の１実施例を図示する。
【図１０Ａ】図１０Ａは、図９の方法論の観点をさらに示す。
【図１０Ｂ】図１０Ｂは、図９の方法論の観点をさらに示す。
【図１１】図１１は、図９−１０Ｂの方法論にしたがって、同時ユニキャストおよびマルチキャスト／ブロードキャストサービスを管理するための装置の１実施例を図示する。
【図１２】図１２は、ネットワークエンティティによって操作可能な同時ユニキャストおよびマルチキャスト／ブロードキャストサービスを管理するための方法論の１実施例を図示する。
【図１３Ａ】図１３Ａは、図１２の方法論の複数の観点をさらに示す。
【図１３Ｂ】図１３Ｂは、図１２の方法論の複数の観点をさらに示す。
【図１４】図１４は、図１２−１３Ｂの複数の方法論にしたがって、同時ユニキャストおよびマルチキャスト／ブロードキャストサービスを管理するための装置の１実施例を図示する。
【詳細な説明】
【００１８】
添付の図面に関連して、以下に述べられる詳細な説明は、様々な構成の説明を意図するものであって、ここに説明される概念が実現され得る唯一の構成を示すことを意図するものではない。詳細な説明は、様々な概念を全体的に理解することをもたらすことを目的とした特定の詳述を含む。しかしながら、これらの概念が、これらの特定の詳述なしで実施され得ることは、当業者にとって明らかであろう。いくつかの事例において、このような概念を不明確にすることを避けるために、よく知られている構造および構成要素が、ブロック図形式で示されている。ここで使用されているように、用語は，与えられた概念の説明図あるいは１つの例を提供する１実施例を例示的に参照しており、最良の形態あるいは好適な形態を必ずしも参照するものではない。
【００１９】
本開示の１つの観点において、ユーザー機器（ＵＥ）は、それが、同時ユニキャストおよびマルチキャスト／ブロードキャストサービスをサポートすることを開始または停止するときを、ネットワークに伝えることができる。この情報は、１つまたはそれ以上の所定のルールにしたがって、ＵＥに関するデータをスケジュールすることを、ネットワークに許可する。本開示のもう一つの観点において、ユニキャストおよびマルチキャスト／ブロードキャストサービスを同時にサポートすることができないＵＥは、ユニキャストサービスまたはマルチキャスト／ブロードキャストサービスをサポートするかどうかを選択することにおいて、ＵＥを支援する優先情報をネットワークから受信する。
【００２０】
本開示のもう１つの観点において、マルチキャスト／ブロードキャストサービスをサポートするためにユニキャストサービスを自主的に切断したＵＥは、その自主的な切断をネットワークに通知する。本開示の別の観点は、下記に説明される。
【００２１】
添付の図面に関連して、以下に述べられる詳細な説明は、さまざまな構成の説明を意図するものであって、ここに説明される概念が実行され得る唯一の構成を示すことを目的とするものではない。詳細な説明は、様々な概念を全体的に理解することをもたらす目的のための特定の詳述を含む。しかしながら、これらの概念が、これらの特定の詳述なしで実施され得ることは、当業者にとって明らかであろう。いくつかの事例において、このような概念を不明確にすることを避けるために、よく知られている構造および構成要素が、ブロック図形式で示される。
【００２２】
ここに説明される技術は、ＣＤＭＡ、ＴＤＭＡ、ＦＤＭＡ、ＯＦＤＭＡ、ＳＣ−ＦＤＭＡ、およびその他複数のネットワークのようなさまざまな無線通信ネットワークに関して使用されることができる。用語「ネットワーク」と「システム」は、しばしば置換可能に使われる。ＣＤＭＡネットワークは、ユニバーサル地上無線アクセス（ＵＴＲＡ）、ｃｄｍａ２０００等のような無線テクノロジを実行することができる。ＵＴＲＡは、広帯域ＣＤＭＡ、ＷＣＤＭＡ（登録商標）およびＣＤＭＡのその他の複数の変形型を含む。ｃｄｍａ２０００は、ＩＳ―２０００、ＩＳ―９５、およびＩＳ―８５６の標準をカバーする。ＴＤＭＡネットワークは、モバイル通信に関するグローバルシステム（ＧＳＭ（登録商標））のような無線テクノロジを実行することができる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭＡなどのような無線テクノロジを実行することができる。ＵＴＲＡおよびＥ−ＵＴＲＡは、ユニバーサルモバイル遠隔通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳМは「第３世代パートナーシッププロジェクト（３ＧＰＰ）」という名の機構からの文献の中で説明されている。ＣＤＭＡ２０００およびＵＭＢは、「第３世代パートナーシッププロジェクト２（３ＧＰＰ２）」という名の機構からの文献の中で説明されている。ここに説明される技術は、他の無線ネットワーク及び無線テクノロジと同様に上述された無線テクノロジ及び無線ネットワークに関して使用されることができる。明確にするために、技術の特定の観点は、ＬＴＥに関して下記に説明され、そしてＬＴＥの専門用語が下記の説明の大部分において使用さる。
【００２３】
図１は、ＬＴＥネットワークであり得る無線通信ネットワーク１００を示す。無線ネットワーク１００は、複数の発展型Ｎｏｄｅ  Ｂｓ（ｅＮｏｄｅＢｓ）１１０およびその他のネットワークエンティティを含むことができる。ｅＮｏｄｅＢは、ＵＥｓと通信する局であり得、そしてまた基地局、アクセスポイントなどと称されることができる。ＮｏｄｅＢは、複数のＵＥと通信する局の別の例である。
【００２４】
各ｅＮｏｄｅＢ１１０は、特定の地理的エリアに関する通信カバレッジを提供することができる。３ＧＰＰにおいて、用語「セル」は、この用語が使用される文脈に依存して、このカバレッジ領域にサービスするｅＮｏｄｅＢサブシステムおよび／またはｅＮｏｄｅＢのカバレッジ領域を指すことができる。
【００２５】
ｅＮｏｄｅＢは、マクロセル、ピコセル、フェムトセル、および／またはその他のタイプのセルに関する通信カバレッジを提供することができる。マクロセルは、比較的大きい地理的エリア（たとえば、半径数キロメートル）をカバーすることができ、そしてサービスに加入しているＵＥｓによって制限されないアクセスを許可することができる。ピコセルは、比較的小さい地理的エリアをカバーすることができ、そしてサービスに加入しているＵＥｓ  １２０ｘによって制限されないアクセスを許可することができる。フェムトセルは、比較的小さい地理的エリア（例えば、自宅）をカバーすることができ、そしてフェムトセル（例えば、クローズド加入者グループ（ＣＳＧ）内のＵＥｓ、自宅内のユーザーに関するＵＥｓなど）と関連を持つＵＥｓ  １２０ｙによって制限されたアクセスを許可することができる。マクロセルに関するｅＮｏｄｅＢは、マクロｅＮｏｄｅＢと称され得る。ピコセルに関するｅＮｏｄｅＢは、ピコｅＮｏｄｅＢと称され得る。フェムトセルに関するｅＮｏｄｅＢは、フェムトｅＮｏｄｅＢあるいはホームｅＮｏｄｅＢと称され得る。図１に示される例において、ｅＮｏｄｅＢｓ１１０ａ、１１０ｂおよび１１０ｃは、それぞれマクロセル１０２ａ、１０２ｂおよび１０２ｃに関するマクロｅＮｏｄｅＢｓであり得る。ｅＮｏｄｅＢ１１０ｘは、ピコセル１０２ｘに関するピコｅＮｏｄｅＢであり得る。ｅＮｏｄｅＢｓ  １１０ｙおよび１１０ｚは、それぞれ，フェムトセル１０２ｙおよび１０２ｚに関するフェムトｅＮｏｄｅＢであり得る。ｅＮｏｄｅＢは、１つまたはマルチプル（例えば、３つ）セルをサポートすることができる。
【００２６】
無線ネットワーク１００はまた、リレー局を含むことができる。リレー局は、アップストリームステーション（例えばｅＮｏｄｅＢまたはＵＥ）からデータおよび／または別の情報の送信を受信し、そしてダウンストリームステーション（例えば、ＵＥまたはｅＮｏｄｅＢ）へのデータおよび／または別の情報の送信を送信する局である。リレー局はまた、別のＵＥに関する送信を中継するＵＥであり得る。図１に示される例において、リレー局１１０ｒは、ｅＮｏｄｅＢ  １１０ａとＵＥ  １２０ｒの間の通信を容易にするために、ｅＮｏｄｅＢ  １１０ａおよびＵＥ  １２０ｒと通信することができる。リレー局はまた、リレーｅＮｏｄｅＢ、リレー等と称され得る。
【００２７】
無線ネットワーク１００は、例えば、マクロｅＮｏｄｅＢｓ、ピコｅＮｏｄｅＢｓ、フェムトｅＮｏｄｅＢｓ、リレー等の異なるタイプのｅＮｏｄｅＢｓを含む異種ネットワークであってもよい。これらの異なるタイプのｅＮｏｄｅＢｓは、無線ネットワーク１００において、干渉状態で、異なるインパクト（impact）、異なるカバレッジ領域、および異なる送信電力レベルを有することができる。例えば、マクロｅＮｏｄｅＢｓは、高い送信電力レベル（例えば２０ワット）を有することができ、その一方で、ピコｅＮｏｄｅＢｓ、フェムトｅＮｏｄｅＢｓおよびリレーは、より低い送信電力レベル（例えば１ワット）を有することができる
無線ネットワーク１００は、同期または非同期運転をサポートすることができる。同期運転に関して、ｅＮｏｄｅＢｓは、類似のフレームタイミングを有することができ、そして異なるｅＮｏｄｅＢｓからの送信が、やがてほぼ調整されることができる。非同期運転に関して、ｅＮｏｄｅＢｓは、異なるフレームタイミングを有することができ、そして異なるｅＮｏｄｅＢｓからの複数の送信は、やがて調整されることができない。ここで説明される技術は、同期および非同期運転の両方に関して使用されることができる。
【００２８】
ネットワークコントローラ１３０は一組のｅＮｏｄｅＢｓに連結することができ、そしてこれらのｅＮｏｄｅＢｓに関して制御と配位を提供することができる。ネットワークコントローラ１３０は、バックホールを介してｅＮｏｄｅＢｓ１００と通信することができる。ｅＮｏｄｅＢｓ１１０はまた、無線または有線のバックホールを例えば、直接的に、または間接的に介して、互いに通信することができる。
【００２９】
ＵＥｓ  １２０は、無線ネットワーク１００を通じて分散されることができ、そして各ＥＵは、固定式（stationary）または移動式であり得る。ＵＥはまた、端末、モバイル局、加入者ユニット、局、などと称され得る。ＵＥは、セルラーフォン、パーソナルデジタルアシスタント（ＰＤＡ）、無線モデム、無線通信デバイス、ハンドヘルドデバイス、ラップトップコンピュータ、コードレス電話、無線ローカルループ（ＷＬＬ）局などであり得る。ＵＥは、マクロｅＮｏｄｅＢｓ、ピコｅＮｏｄｅＢｓ、フェムトｅＮｏｄｅＢｓ、リレー、などと通信することができる。図１において、２つの矢印を有する実線は、ＵＥとサービス中ｅＮｏｄｅＢの間の望ましい送信を表し、それは、ダウンリンクおよび／またはアップリンク上でＵＥにサービスするために指定されたｅＮｏｄｅＢである。２つの矢印を有する点線はＵＥおよびｅＮｏｄｅＢの間の干渉中の送信を表す。
【００３０】
ＬＴＥは、ダウンリンク上の直交周波数分割多元（ＯＦＤＭ）およびアップリンク上の単一―搬送周波数分割多元（ＳＣ−ＦＤＭ）を利用する。ＯＦＤＭおよびＳＣ−ＦＤＭは、システム帯域幅を、マルチプル（Ｋ）直交副搬送波に仕切り、それらはまた、一般に、トーン、ビンなどと称される。各副搬送波は、データを用いて変調されることができる。一般的に、変調記号はＯＦＤＭを用いて、周波数ドメインに送られ、そしてＳＣ−ＦＤＭを用いて時間ドメインに送られる。隣接する副搬送波の間のスペーシングは固定されることができ、そして副搬送波（Ｋ）の総数は、システム帯域幅に依存することができる。例えば、副搬送波のスペーシングは、１５ｋＨｚであり得、そして最少リソース割り当て（「リソースブロック」と呼ばれる）は、１２副搬送波（または１８０ｋＨｚ）であり得る。その結果として、名目上のＦＦＴのサイズは、１．２５、２．５、５、１０または２０メガヘルツ（ＭＨｚ）のシステム帯域幅に関してそれぞれ１２８、２５６、５１２、１０２４、または２０４８と等しくなることができる。システム帯域幅はまた、複数のサブバンドに仕切られることができる。例えば、サブバンドは、１．０８ＭＨｚ（例えば、６リソースブロック）をカバーすることができ、そして１．２５、２．５、５、１０あるいは２０ＭＨｚのシステム帯域幅に関して、それぞれ１、２、４、８、または１６のサブバンドが存在することができる。
【００３１】
図２は、基地局／ｅＮｏｄｅＢ１１０およびＵＥ１２０の設計（ｄｅｓｉｎｇ）のブロック図を示し、図１におけるＵＥｓの１つおよび基地局／ｅＮｏｄｅＢｓの１つであり得る。制限されたアソシエーションシナリオ（association scenario）に関して、基地局１１０は、図１におけるマクロｅＮｏｄｅＢ１１０ｃであり得、そしてＵＥ１２０はＵＥ１２０ｙであり得る。基地局１１０はまた、ある別の種類の基地局であり得る。基地局１１０は、アンテナ６３４Ａ乃至６３４Ｔを備えることができ、そしてＵＥ１２０はアンテナ６５２Ａ乃至６５２Ｒを備えることができる。
【００３２】
基地局１１０において、送信プロセッサ６２０は、データソース６１２からのデータおよびコントローラ／プロセッサ６４０からの制御情報を受信することができる。制御情報は、ＰＢＣＨ、ＰＣＦＩＣＨ、ＰＨＩＣＨ、ＰＤＣＣＨなどに関するものであり得る。データはＰＤＳＣＨなどに関するものであり得る。プロセッサ６２０は、データと制御情報を処理（例えば、エンコードおよびシンボルマップ）して、情報を制御してデータ記号と制御記号をそれぞれ得ることができる。プロセッサ６２０はまた、例えば、ＰＳＳ、ＳＳＳに関する参照信号およびセル―特有の参照信号を生成することができる。送信（ＴＸ）マルチプル−入力マルチプル−出力（ＭＩＭＯ）プロセッサ６３０は、もし適用できるなら、データ記号、制御記号、および／または参照記号上で、スペイシャルプロセシング（例えば、プレコーディング（precoding）を行うことができ、そして変調器（ＭＯＤｓ）６３２Ａ乃至６３２Ｔに出力記号ストリームを提供することができる。各変調器６３２は、各出力記号ストリーム（例えば、ＯＦＤＭなどに関する）を処理して、出力サンプルストリームを取得することができる。各変調器６３２はさらに、出力サンプルストリームを処理（例えば、アナログに変換して、増幅して、フィルタをかけて（filter）、およびアップコンバートして（upconvert））して、ダウンリンク信号を取得することができる。変調器６３２Ａ乃至６３２Ｔからのダウンリンク信号は、それぞれアンテナ６３４Ａ乃至６３４Ｔを介して送信されることができる。
【００３３】
ＵＥ１２０において、アンテナ６５２Ａ乃至６５２Ｒは、基地局１１０からのダウンリンク信号を受信することができ、そしてそれぞれ復調器（ＤＥＭＯＤｓ）６５４Ａ乃至６５４Ｒに受信された信号を提供することができる。各変調器６５４は、各受信された信号をコンディション（condition）（例えば、フィルタして、増幅して、ダウンコンバートして、およびデジタル化して）して、入力サンプルを得ることができる。各変調器６５４は、入力サンプルをさらに処理して（例えば、ＯＦＤＭに関する）、受信した記号を得ることができる。ＭＩＭＯ検出器６５６は、すべての復調器６５４Ａ乃至６５４Ｒからの受信された記号を取得し、もし適用可能なら、その受信された記号上でＭＩＭＯ検出を実行し、そして検出された記号を提供することができる。受信プロセッサ６５８は、検出された記号を処理（例えば、復調し、デインタリーブし（deinterleave）、および解読し（decode））、データシンク（sink）６６０に、ＵＥ１２０に関する解読された（decoded）データを提供し、そしてコントローラ／プロセッサ６８０に、解読された制御情報を提供することができる。
【００３４】
アップリンク上で、ＵＥ１２０において、送信プロセッサ６６４は、データソース６６２からのデータ（例えば、ＰＵＳＣＨに関する）およびコントローラ／プロセッサ６８０からの制御情報（例えば、ＰＵＣＣＨに関する）を受信して、そして処理することができる。プロセッサ６６４はまた、参照信号に関する参照記号を生成することができる。送信プロセッサ６６４からの記号は、もし適用可能なら、ＴＸ  ＭＩＭＯプロセッサ６６６によってプレコードされ、さらに変調装置６５４Ａ乃至６５４Ｒ（例えばＳＣ−ＦＤＭなどに関する）によって処理され、そして基地局１１０に送信されることができる。基地局１１０において、ＵＥ１２０からのアップリング信号は、アンテナ６３４によって受信され、復調器６３２によって処理され、もし適用可能なら、ＭＩＭＯ検出器６３６によって検出され、そしてさらに受信プロセッサ６３８によって処理されて、ＵＥ１２０によって送信される制御情報および復号化されたデータを入手することができる。プロセッサ６３８は復号化されたデータをデータシンク６３９に、そして復号化された制御情報をコントローラ／プロセッサ６４０に提供することができる。
【００３５】
コントローラ／プロセッサ６４０および６８０はそれぞれ基地局１１０およびＵＥ１２０において、操作を命令することができる。基地局１１０におけるプロセッサ６４０および／または別のプロセッサおよびモジュールは、ここで説明される技術に関する様々な処理の実行を命令または行うことができる。ＵＥ１２０における、プロセッサ６８０および／または別のプロセッサおよびモジュールはまた、図４および５において例示される機能ブロック、および／またはここで説明される技術に関する別のプロセスの実行を命令または行うことができる。メモリ６４２および６８２は、それぞれ基地局１１０およびＵＥ１２０に関するプログラムコードおよびデータを記憶することができる。スケジューラ６４４は、ダウンリンクおよび／またはアップリンク上で、データ送信に関するＵＥｓをスケジュールすることができる。
【００３６】
１つの構成において、無線通信に関するＵＥ１２０は、ＵＥの接続モードの間中、干渉基地局からの干渉を検出するための手段、干渉基地局のもたらされた（yielded）リソースを選択するための手段、もたらされたリソース上で、物理ダウンリンク制御チャンネルの誤り率（error rate）を取得するための手段、および、無線リンクの故障（failure）を宣言するために、所定のレベルを超える誤り率に応答して実行可能な手段を含む。１つの観点において、前述された（aforementioned）手段は、前述された手段によって列挙される機能を実行するために構成されたアンテナ６５２、復調器６５４、ＭＩＭＯ検出器６５６、受信プロセッサ６５８、メモリ６８２、コントローラ／プロセッサ６８０，プロセッサであり得る。別の観点において、前述された手段は、前述された手段によって列挙される機能を実行するために構成されたモジュールまたは任意の装置であり得る。
【００３７】
システムは、周波数分割二重（duplex）（ＦＤＤ）モードおよび／または時間分割二重（ＴＤＤ）モードをサポートすることができる。ＦＤＤモードにおいて、分離周波数チャンネルはダウンリンクおよびアップリンクに関して使われることができ、そしてダウンリンク送信およびアップリンク送信は、それらの分離周波数チャンネル上で、同時に送信されることができる。ＴＤＤモードにおいて、共通周波数チャンネルは、ダウンリンクおよびアップリンクの両方に関して使われることができ、ダウンリンク送信は、ある時間周期（time periods）に送信されることができ、そしてアップリンク送信は別の時間周期に送信されることができる。
【００３８】
マルチキャスト／ブロードキャストシングル周波数ネットワーク（ＭＢＳＦＮ）は、いくつかの送信機が、同じ周波数チャンネル上で、同じ信号を同時に送信する場所におけるブロードキャストネットワークである。デジタルブロードキャストネットワークと同様に、アナログＦＭおよびＡＭ無線ブロードキャストネットワークも、この方法で作動することができる。アナログテレビジョン送信は、同じ信号のエコーが原因で、ＭＢＳＦＮがゴーストする結果となるので、さらに困難であることが証明された。
【００３９】
ＭＢＳＦＮの単純化された形は、低―電力同一―チャンネルリピータ、ブースタ、またはブロードキャストトランスレータによって達成されることができ、それは、ギャップフィルタ送信機として利用される。ＭＢＳＦＮの目的は、無線スペクトルの効果的な利用であって、これが、従来のマルチ―周波数ネットワーク（ＭＦＮ）送信と比較して、より多くのラジオおよびテレビプログラムを許可する。ＭＢＳＦＮはまた、全体の受信された信号強度が、複数の送信機の間の中途の位置まで増加することができるので、ＭＦＮと比較して、カバレッジ領域を増大し、そして故障の確率を減らすことができる。ＭＢＳＦＮは、例えば、３ＧＰＰＬＴＥにおけるマルチメディアブロードキャスト／マルチキャストサービス（ＭＢＭＳ）をサポートするために使用されることができる。
【００４０】
ＭＢＳＦＮのスキーム（schemes）は、例えば、セルラーネットワークおよび無線コンピュータネットワークなどの、非−ブロードキャスト無線通信において、送信機マクロダイバーシティー、ＣＤＭＡソフトハンドオフおよびダイナミックシグナル周波数ネットワーク（ＤＳＦＮ）と呼ばれるものにいくぶん類似している。ＭＢＳＦＮ送信は、多重波伝播（multipath propagation）の特別な形と考えられることができる。一般的に多重波伝播において、無線受信機は、同じ信号のいくつかのエコーを受信して、そしてこれらのエコー（同様に自己（self）―干渉として知られる）の中の建設的または非建設的な干渉は、結果としてフェーディング（fading）となり得る。これは、その場合におけるフェーディングが、選択―周波数（frequency-selective）（平らなフェーディングに対立するように）であり、そしてエコーの時間拡散が、結果として符号間の干渉（ＩＳＩ）となるので、特に広帯域通信および高―データレートデジタル通信において問題である。フェーディングおよびＩＳＩは、ダイバーシティースキーム（diversity schemes）および等化フィルタを用いて避けられることができる。ＭＢＳＦＮ送信において、手段は、それらが建設的な干渉としてのみ機能するように、信号のこれらのエコーを位置合わせするために受信機を備え、その結果、より高い信号対雑音比（ＳＮＲ）がもたらされる。
【００４１】
広帯域デジタル放送において、自己―干渉取り消しは，直交周波数分割マルチプレックシング（ＯＦＤＭ）または、コード化（coded）直交周波数分割マルチプレックシング（ＣＯＦＤＭ）変調方法によって容易にされる。ＯＦＤＭは、１つの高速度のワイド―バンド変調器の替りに、多数の低速度の低―帯域幅変調器を使う。各変調器は、それ自体の周波数サブ−チャンネルおよびサブ−キャリア周波数を有する。各変調器は非常に低速度なので、１つは、記号の間のガードインターバルを挿入する余裕があり、そしてそれゆえに、ＩＳＩを減らす。フェーディングは全体の周波数チャンネル上で、選択−周波数であるが、それは、狭帯域サブ−チャンネルの範囲内でフラットと考えられることができる。こうして、進んだ等化フィルタは避けられることができる。順方向（forward）誤り修正コード（ＦＥＣ）はフェーディングの効果を無効にする支援をする。
【００４２】
ＯＦＤＭは、ＤＶＢ―ＴおよびＩＳＤＢ―Ｔのような地上デジタルテレビ放送システムにおいて利用される。ＯＦＤＭはまた、デジタル無線システムにおいて広く使われ、それは、ＤＡＢ、ＨＤラジオ、およびＴ―ＤＭＢを含む。したがって、これらのシステムはＭＢＳＦＮの操作にうまく適している。ＡＴＳＣ規格Ａ／１１０に規定された、デジタルテレビに関して北米で使用される８ＶＳＢ変調方法は、ＭＢＳＦＮ送信の使用を許可する。
【００４３】
仮想チャンネルナンバリングの使用を通じて、マルチ−周波数ネットワーク（ＭＦＮ）は、ＡＴＳＣにおける視聴者（viwer）に対して、ＭＢＳＦＮとして現れることができる。ＭＢＳＦＮ自己―干渉取り消しにおけるＯＦＤＭ変調を使うことへの代替は：ガードインターバルおよび周波数領域等化による組み合わせにおけるシングル−キャリア変調、ＭＩＭＯチャンネル（例えば、位相配列アンテナ）、ＣＤＭＡ  Ｒａｋｅ受信機であろう。マルチキャスト／ブロードキャストシングル周波数ネットワークにおいて、送信機および受信機は、基準クロックとしてのネットワークまたは主局からの信号またはＧＰＳを用いて、もう一方と通常同期される。例えば、特定のマーカーの使用が採用されることができ、中央の分配ポイントにおけるビットストリームに挿入されるメガ−フレーム初期化パケット（ＭＩＰ）、そして放送されるべきデータストリームにおけるこのポイントにおける絶対時間（ＧＰＳ受信機から読み取られるとおり）を、ＭＢＳＦＮ送信機にシグナルする。
【００４４】
図３Ａは、本開示の１つの観点にしたがって、無線通信システムにおける同時ユニキャストおよびマルチキャスト／ブロードキャストサービスを管理するための方法３００のフローチャートである。図３Ａ―Ｃにおけるブロック３０２、３０４、および３０６は、ＵＥによって実行され、その一方で、図３Ａ―Ｃの残りのブロックは、ネットワークエンティティによって実行されることが特筆されている。図３Ａを再度参照して、３０２において、ＵＥ１２０（図１を参照）は、ネットワークとそれの初期接続または再接続時に、ネットワーク（例えば、ｅＮｏｄｅＢ１１０に対して）に対して、その能力を報告する。様々な要素（factor）は、ＵＥ１２０の処理能力、その記憶またはバッファリング能力、その使用可能な機能性、およびそのロケーションのような、与えられたＵＥ１２０の能力を決定する。ＬＴＥのような基準において、ＥＵ１２０は、それらの能力にしたがって、数値「カテゴリー」に割り当てられることができる。
【００４５】
その方法は、次に３０４に進み、そこで、それは、（１）ＵＥ１２０が、ユニキャストおよびマルチキャスト／ブロードキャスト（例えば、ｅＭＢＭＳ）サービスを同時にサポートすることをまさに開始しようと決定するか、または（２）ＵＥ１２０が、ユニキャストおよびｅＭＢＭＳサービスを同時にサポートすることをまさに中止しようと決定するまでそのままである。例えば、３０４における条件は、ＵＥ１２０が、ユニキャストサービス（例えば、電話をかけること）をサポートしており、そしてユーザーが、同時に、ｅＭＢＭＳサービス（例えば、ストリーミングムービー）にアクセスすることを決定する場所で満たされるであろうし、またはその逆の場合もあるだろう。３０４における条件はまた、ＵＥ１２０が、ユニキャストおよびｅＭＢＭＳの受信を同時にサポートしていて、そしてサービスのどちらか一方または両方がその後終了するところ、ユーザーの故意の行動、またはその他の要因（例えば、映画がその終わりに到達する）かどうかによって、満たされるだろう。ＵＥ１２０が、ｅユニキャストおよびＭＢＭＳサービスを同時にサポートしているかどうかは、ＵＥ１２０の「同時―サービス―サポートステータス（status）」として、時々ここで参照される。３０４における条件は、そのステータスが変わったか、あるいはまさに変わるところであるかどうかに関係する。ＵＥ１２０は、それらが発生している時に、そのステータスにおける変更をネットワークに報告する。
【００４６】
もし、３０４における条件が満たされる場合、３０６におけるＵＥ１２０は、それが、ユニキャストおよびｅＭＢＭＳサービスを同時にサポートすることを開始したかまたは停止したことを、ｅＮｏｄｅＢ１１０にシグナルする。３０８において、ネットワークは、１つまたはそれ以上の所定のルールに基づいて更新されたステータス（例えば、ユニキャスト＋ｅＭＢＭＳ、ユニキャストのみ、またはｅＭＢＭＳのみ）にしたがって、ＵＥ１２０に関するトラヒックを自動的にスケジュールすることができる。このようなルールの例は、本開示の種々の観点に関連して、下記に、より詳細に論じられる。３１０において、この方法は終了する。
【００４７】
ＵＥ１２０がその同時―サービス―サポートステータスが変わったことをネットワークに通知することができる種々の方法がある。１つの例示的な実施例において、ＵＥは、単純なフラッグを介して、ネットワークに変更をシグナルする。例えば、バイナリーフラッグが使われることができる場合、ＵＥ１２０が、ユニキャストおよびｅＭＢＭＳサービスの同時サポートを開始していることを示しているバイナリーフラッグの１つの状態（state）、ＵＥ１２０が，ｅＭＢＭＳおよびユニキャストサービスの同時サポートを終了していることを示している別の状態。別の実施例において、バイナリーフラッグは、ＵＥ１２０によるｅＭＢＭＳサポートの真／偽、またはオン／オフのステータスを示すことができる。異なる実施例において、ＵＥ１２０は、それが、ネットワークに対して送信する測定報告に、その同時―サービス―サポートステータスに関する情報を付加することができる。このようなアプローチは、単に２つの状態（バイナリーフラッグを有するような）よりも多い情報が伝達され得るという利点を有する。例えば、ＵＥ１２０は、それが、将来における所定の時刻に、マルチキャスト／ブロードキャストサービス（例えば映画）をサポートするつもりであることを、ネットワークにシグナルする可能性がある。いくつかの実施例において、ネットワークはまた、ｅＭＢＭＳサービスが（例えば、既知の映画の長さに基づいて）終了したとき、結果として、ＵＥ１２０における同時―サービス―サポートステータスの変更となることを推論できる。
【００４８】
図３Ｂは、本開示の別の観点にしたがった無線通信システムにおける同時ユニキャストおよびマルチキャスト／ブロードキャストサービスを管理するための方法３１２のフローチャートである。図３Ｂに示される方法は、図３Ａに関連して、上記に論じられたことに類似しており、そしてブロック３０６を通って、同様の仕方で進む。３１４において、ｅＮｏｄｅＢ１１０は、３０６におけるＵＥ１２０のステータス−変更−メッセージに応答して、１つまたはそれ以上の所定のルックアップテーブルにおける適用可能な送信パラメータ（例えば、トランスポートブロックサイズ）を検索する。どのルックアップテーブルをＮｏｄｅＢ１１０が調べるかは、ＵＥ１２０がユニキャストおよびｅＭＢＭＳサービスを同時にサポートしているか否かに依存する。すなわち、ｅＮｏｄｅＢ１１０は、ＥＵ１２０が、唯一のサービス（ユニキャストまたはｅＭＢＭＳ）をサポートしているときに、１つのルックアップテーブルまたはルックアップテーブルのセットを調べることができ、そしてｅＮｏｄｅＢ１１０は、ＵＥが、ユニキャストおよびｅＭＢＭＳサービスを同時にサポートしているときに、異なるルックアップテーブルまたはルックアップテーブルのセットを調べることができる。１つの実施例において、ＵＥ１２０のカテゴリーは、ＵＥ１２０が、２つのサービスを同時にサポートしているか否かにかかわらず、変化しないままであることができる。代わりに変化するものは、ネットワークが、ＵＥ１２０の同時―サービス―サポートステータスに依存して、送信パラメータを選択することにおいて調べるカテゴリー―ベースのルックアップテーブルである。
【００４９】
ＬＴＥからの一例は、例示するのに役立つであろう。表１は、ＬＴＥシステムにおいて使用され得るように、ＵＥ１２０のカテゴリーに基づいて設定されるダウンリンク物理−層パラメータの値の複数の例を一覧にしている例示的な表である。表１は、ＵＥ１２０が、ユニキャストサービスのみをスポートしているときに適用可能である。
【表１】
0005833226.tif 000002
【００５０】
表２は、ＬＴＥシステムにおいて発見され得るような、ＵＥ１２０のカテゴリーにしたがって設定された送信時間インターバル（interval）の範囲内のＵＥ１２０によって受信されるマルチキャストチャンネル（ＭＣＨ）のトランスポートブロックのビットの最大数の複数の例を一覧にしている例示的な表である。表２は、ｅＭＢＭＳの―能力のあるＵＥｓ１２０に適用可能である。
【表２】
0005833226.tif 000003
【００５１】
表３は、本開示の１つの観点にしたがって、ｅＮｏｄｅＢが、ＥＵ１２０が、ユニキャストおよびｅＭＢＭＳサービスを同時にサポートしているときに、調べることができる表１に類似する例示的な代替の表である。
【表３】
0005833226.tif 000004
【００５２】
表３において、左から２番目と３番目の列におけるトランスポートブロックのサイズは、表１におけるそれらのカウンターパート（counterpart）と比較して、均一に等分されているが、しかしこれは、単に１つの例である。別の実施例において、トランスポートブロックのサイズは、全体に、異なる方法で減らされることができる。ｅＮｏｄｅＢ１１０が、テーブル３において明示された送信パラメータの値を実行する時、ＵＥ１２０は、より低いデータレートでユニキャストトラヒックを受信して、ｅＭＢＭＳサービスに関する同時サポートに適応する。ｅＭＢＭＳサービスのデータレートが、そのオリジナルの（original）レベルで維持され、そしてユニキャストサービスがデータレートにおいて下方へ調整され、もし必要なら、ＥＵ１２０における２つのサービスの同時サポートに適応することは、望ましいが、義務ではない。もちろん、すべてのＵＥがユニキャストのデータレートのこのような下方への調整を要求することができるわけではない。いくつかのハイ―エンドなＵＥは、ユニキャストおよびｅＭＢＭＳサービスを同時にサポートするためのこのような適応を必要としないかもしれない。複数のＵＥの間のこのような違いは、表１−３のようなルックアップテーブルにおけるそれらの各カテゴリーに基づいて簡単に説明されることができる。３１６において、図３Ｂにおける方法は終了する。
【００５３】
図３Ｃは、本開示のさらに別の観点にしたがって、無線通信システムにおける同時ユニキャストおよびマルチキャスト／ブロードキャストサービスを管理するための方法３１８のフローチャートである。図３Ｃに示される方法は、図３Ａに関連して上記に論じられたことに類似しており、そしてブロック３０６を通って、類似した仕方で進む。この特定の実施例において、無線通信システムは、図３Ｂに関連して上記で論じられた実施例とは異なり、ＵＥ１２０が、ユニキャストおよびｅＭＢＭＳサービスを同時にサポートしているか否かを、同じＵＥ―カテゴリー―ベースの送信−パラメータルックアップテーブルまたはルックアップテーブルのセットを使うことができる。すなわち、ネットワークは、ＵＥ１２０の同時―サービス―サポートステータスに依存して、異なるルックアップテーブルのセット、またはルックアップテーブルを調べない。その代り、ネットワークは、ＵＥ１２０の同時―サービス―サポートステータスが変化するのにつれて、１つまたはそれ以上の所定のルールに基づくＵＥのカテゴリーを、自動的に修正または調整する。
【００５４】
３２０において、ｅＮｏｄｅＢ１１０は、もしＵＥが、同時ユニキャストおよびｅＭＢＭＳサービスのサポートを開始している場合、所定のルールにしたがって、ＵＥのカテゴリーを自動的にダウングレードする。同様に、ｅＮｏｄｅＢ１１０は、もしＵＥが、同時ユニキャストおよびｅＭＢＭＳサービスのサポートを停止する場合、所定のルールにしたがって、ＵＥのカテゴリーを自動的にアップグレードまたは復元する。ＵＥ１２０のカテゴリーのダウングレードは、特定の実施に依存して、ユニキャストサービスのみまたはユニキャストおよびマルチキャスト／ブロードキャストサービスの両方に適用する可能性がある。このような調整が、ＵＥ１２０の能力の範囲内にとどまることが必要とされる場所で、ｅＭＢＭＳサービスに関するＵＥ１２０のカテゴリーが一定であることと、ユニキャストサービスに関するＵＥのカテゴリーが下方に調整されて２つのサービスの同時サポートに適応することは、望ましいが、義務では無い。ユニキャストおよびｅＭＢＭＳサービスの同時サポートが、サービスの両方またはどちらか一方の終了が原因で、一旦停止すると、ｅＮｏｄＢ１１０は、ＵＥのカテゴリー（例えば、ユニキャストサービスのみに関連するその名目値）を上方に調整する（アップグレードする）ことができる。
【００５５】
ＵＥのカテゴリーを自動的にダウングレードしている状態で、ネットワークが従う特定のルールは、特定の実施に依存して、変更することができる。１つの例示的な実施例において、ＵＥ１２０のカテゴリーは、１つのレベルによって自動的にダウングレードされる。例えば、「３」の名目カテゴリーを有するＵＥ１２０は、カテゴリー「２」にダウングレードされる。別の実施例において、ＵＥ１２０は、２つのレベルまたは別のいくつかのレベルによってダウングレードされるかもしれない。一般的に、このようなルールは、Ｎによって、ＵＥ１２０のカテゴリーにおけるダウングレードとして定式化されることができ、そこで、Ｎは、適用可能なＵＥ１２０および無線通信の基準に一致する許容可能な範囲内で、０よりも大きいか、あるいはそれに等しい整数である。３２２において、図３Ｃにおけるその方法は終了する。
【００５６】
ネットワークにシグナルするＵＥ１２０（図３Ａ−３Ｃにおけるブロック３０６を参照）は、その同時―サービス―サポートステータスの変更をするときはいつでも、特定の優位性または利点を有することができる。例えば、ＵＥ１２０によるステータス変更の通知は、所定のルールに基づいて、同時ユニキャストおよびｅＭＢＭＳサービスのＵＥのサポートに自動的に適応することを、ｅＮｏｄｅＢ１１０に許可することができる。このようなルールの例は、図３Ｂおよび３Ｃに関連して上記に論じられたが、しかし多くの別のルールの構成が可能である。このようなアプローチは、ＵＥｓ１２０の基準−コンプライアンス認証試験を簡易化することができる。
【００５７】
いくつかの状況において、ネットワークは、特定のｅＭＢＭＳサービスへのそれの関心に関して、ＵＥ１２０をポールする。このようなリクエストに対するＵＥの応答は、時々「計数応答」（ネットワークは問い合わせに対するＵＥ１２０の応答を「数える」）と称される。このような計数応答は、ＵＥ１２０が上記に論じられたＵＥ−開始された（initiated）報告アプローチとして、その同時―サービス―サポートステータスにおける変更をネットワークに通知するための時宜を得た、あるいは効果的な手段では無いが、いくつかの使用はまだこのような計数応答が使われることができる。１つのむずかしさは、ＵＥ１２０が、ネットワークからの連続する複数の計数リクエスト（counting request）の間の無線通信システムの範囲内で、セルからセルへと移動することができることである。ＵＥ１２０に、特定の次に出てくる永続的なｅＭＢＭＳサービスに関心もたせるために、それは、ソースセルが、ターゲットセルに対するハンドオーバーメッセージにおけるｅＭＢＭＳサービスへのＵＥの関心を含む必要があり得る。
【００５８】
図４は、本開示の１観点にしたがったｅＮｏｄｅＢ／基地局４０４およびＵＥ４０２の機能ブロック図である。ＵＥ４０２は、送信機モジュール４０６、受信機モジュール４０８、同時サービス検出モジュール４１０、および同時サービス報告モジュール４１２を含む。送信機モジュール４０６および受信機モジュール４０８は、ｅＮｏｄｅＢ／基地局４０４を有する両方向において通信することを、ＵＥ４０２に許可する。同時サービス検出モジュール４１０は、ＵＥの４０２の同時―サービス―サポートステータスにおける変更を検出する。すなわち、それは、ＵＥ４０２が、１つのサービスのみをサポートすることから―ユニキャストまたはｅＭＢＭＳ―両方のサービスを同時にサポートすることへ変更したかまたは変更しようとしたか、あるいはその逆順にサポートすることへ変更したかどうかを検出する。同時サービス報告モジュール４１２は、同時サービス検出モジュール４１０がこのようなステータスにおける変化を検出するときはいつでも、ＵＥの現在の同時―サービス―サポートステータスを、ｅＮｏｄｅＢ／基地局４０４に通知する。
【００５９】
ｅＮｏｄｅＢ／基地局４０４は、送信機モジュール４１４、受信機モジュール４１６、およびスケジューリングモジュール４１８を含む。送信機モジュール４１４および受信機モジュール４１６は、１つまたはそれ以上のＵＥｓ４０２と通信することを、ｅＮｏｄｅＢ／基地局４０４に許可する。スケジューリングモジュール４１８は、上記に論じられたように、１つまたはそれ以上の所定のルールに基づいて、ＵＥの報告された同時―サービス―サポートステータスに応答して、ＵＥ４０２に関するデータをスケジュールする。
【００６０】
図５は、本開示の１つの観点にしたがって、無線通信システムにおけるサービスを優先するための方法５００のフローチャートである。すべてのＵＥｓ１２０が同時ユニキャストおよびｅＭＢＭＳサービスをサポートするために設計されるわけではない。これは、ＵＥ１２０が、両方をサポートする機会を有して現れた時、１つのサービスまたは別のサービスの間で選択することを強要され得るという難しさに通じる。両方のサービスを同時にサポートできないＵＥは、例えば、ユニキャストサービスにまさって、ｅＭＢＭＳサービスを優先することを選択できる。少なくとも２つの問題は以下の（１）、（２）において発生し得る。（１）ＵＥは、それがｅＭＢＭＳトラヒックを受信している間、重要なユニキャストトラヒックをミスすることがあり得、そして（２）それは、ｅＮｏｄｅＢ（基地局）が、ＵＥがｅＭＢＭＳサービスを支持して、ユニキャストサービスを自主的に切断したことを理解するのに時間がかかり、その結果非能率となり得る。図５における方法はこれらの問題に取り組む。
【００６１】
５０２において、ネットワークは、ｅＭＢＭＳサービスと比較したユニキャストサービスの優先度をＵＥ１２０に表示する。ＵＥ１２０は、計数リクエスト（あるいは、ユーザー―開始されたリクエスト）が、ｅＭＢＭＳサービスのために届くとき、ユニキャスト接続に従事している可能性がある。同様に、ＥＵ１２０は、入呼（ユニキャストサービス）が届くとき、ｅＭＢＭＳサービスをサポートしている可能性がある。このような状況において、ネットワークは、所定の基準に基づく２つのサービスの各優先順位を、ＵＥに通知する。
【００６２】
ネットワークは、特定の実施に依存して、様々な方法におけるＵＥ１２０に対して、優先情報を伝えることができる。１つの実施例において、優先情報は、ＲＲＣ＿ＩＤＬＥ  ＵＥｓ１２０（現在、例えば、呼出しに従事する接続モードに無いＵＥ）に関するページングメッセージに加えられることができる。
【００６３】
このようなＥＵが入呼（ユニキャスト通信）を受信するとき、既に―進行中のｅＭＢＭＳサービスと比較される呼の優先度は、ページングメッセージに含まれることができるので、ＵＥ１２０は、どのサービスを選択し。そしてどれを無視あるいは停止するかを決定することができる。ＲＲＣ＿ＣＯＮＮＥＣＴＥＤ  ＵＥ１２０（ネットワークと積極的に（actively）通信をするＵＥ）に関して、優先情報は、ｅＮｏｄｅＢ１１０からの適切なダウンリンクメッセージを介して、ＵＥ１２０に伝えられることができる。このようにして、ＵＥ１２０は、ユニキャストサービスまたはｅＭＢＭＳサービスの優先度の表示を受信することができる。
【００６４】
５０４において、ＵＥは、それが、少なくとも一部において、ネットワークから受信された優先情報に基づいて開始するだろういずれかのサービス（ユニキャストまたはｅＭＢＭＳ）を用いて決定する。５０６において、ネットワークは、ＵＥが開始すると決めたものを有するサービスを提供することを備えるか、または継続する。いくつかの実施例において、ネットワークは、ＵＥ１２０が他方にまさった１つのサービスを選択すると決定したＵＥ１２０からの明示的な表示を受信しない。例えば、最近のＬＴＥの基準において、このような通知は要求されない。５０８において、この方法は終了する。
【００６５】
図６は、本開示の１観点にしたがった、基地局／ｅＮｏｄｅＢ６０２とＵＥ６０１の機能ブロック図である。ＵＥ６０１は、送信機モジュール６０３、受信機モジュール６０４、およびサービス優先順位付モジュール６０５を含む。送信機モジュール６０３および受信機モジュール６０４は、ｅＮｏｄｅＢ／基地局６０２と通信することを、ＵＥ６０１に許可する。サービス優先順位付モジュール６０５は、上記に論じられたように、少なくともある部分において、ネットワークから受信された優先情報に基づいて支援するための２つのサービスのいずれかを決定するためのロジックを含む。例えば、サービス優先順位付けモジュール（service prioritization module）６０５は、ある種類のｅＭＢＭＳサービスが、ユニキャストトラヒック（例えば緊急放送メッセージ）にまさって常に優先権を得るというルールを実施する可能性がある。さらなる例として、サービス優先順位付モジュール６０５は，特定の番号（例えば配偶者）から掛かってくる電話が、稼働中のｅＭＢＭＳサービスにまさって常に優先権を得るというルールを実施しても良い。多くの別のルールは、特定の実施に依存して、考案されることができる。
【００６６】
ｅＮｏｄｅＢ／基地局６０２は、送信機モジュール６０６、受信機モジュール６０７、サービス―優先度決定モジュール６０８、およびサービス優先度通信モジュール６０９を含む。送信機モジュール６０６および受信機モジュール６０７は、１つまたはそれ以上のＵＥｓ６０１と通信することを、ｅＮｏｄｅＢ／基地局６０２に許可する。サービス―優先度決定モジュール６０８は、所定のガイドラインに基づくユニキャストおよびｅＭＢＭＳサービスの優先度を決定する。サービス優先度通信モジュール６０９は、ＵＥ６０１に対して、適用可能な優先情報を表示するメッセージを構成し、そして伝達する。
【００６７】
図７は、本開示の１つの観点にしたがって、無線通信システムにおけるサービスとの切断を管理するための方法７００のフローチャートである。図７の方法は、ユニキャストおよびｅＭＢＭサービスを同時にサポートできないＵＥ１２０が、ユニキャストサービスを自発的に切断することによって、ユニキャストサービスにまさるＥＵｅＭＢＭＳサービスを支援する時、無線通信ネットワークの性能が改良されることができる別の方法に関係する。上述したように、ｅＮｏｄｅＢ１１０は、ＥＵが、ｅＭＢＭＳサービスを好んで、ユニキャストサービスを自発的に切断したことを断定するのに時間をとり、それが、システムにおける非能率さを引き起こし得る。
【００６８】
７０２において、接続モードにおけるＵＥ１２０は、ユニキャストサービス（例えば、通話中（on a phone）に、保留（waiting on hold）で待っているユーザーが代わりに映画を見ることを決定する）にまさって、ｅＭＢＭＳサービスを優先することを決定する。７０４において、ＵＥ１２０は、それが、ユニキャストサービスを自発的に切断することを決定したことを、ネットワークに通知する。ＵＥ１２０によるこのような通知は、無線リソースを解放することを、ネットワークに許可する。この方法は７０６において終了する。
【００６９】
図８は、本開示の１観点にしたがった、ｅＮｏｄｅ／基地局８０４およびＵＥ８０２の機能ブロック図である。ＵＥ８０２は、送信機モジュール８０６、受信機モジュール８０８、サービス優先順位付けモジュール８１０、および自発的切断通知モジュール８１２を含む。送信機モジュール８０６および受信機モジュール８０８は、ｅＮｏｄｅＢ／基地局８０４を有する両方向において通信することを、ＵＥ８０２に許可する。サービス優先順位付けモジュール８１０は、所定のルールまたはガイドラインに基づくユニキャストおよびｅＭＢＭＳサービスの間の優先度を決定し、それが、文脈依存（context sensitive）になり得る。それはまた、ユーザーの好みに基づく明確な優先順位選択に応答する。自発的切断通知モジュール８１２は、ＵＥ８０２が、ｅＭＢＭＳサービスを続けるために（proceed）、ユニキャストサービスを自発的に切断することを決定した時、ｅＮｏｄｅＢ／基地局８０４に通知する。
【００７０】
ｅＮｏｄｅＢ／基地局８０４は、送信機モジュール８１４、受信機モジュール８１６、およびスケジューリングモジュール８１８を含む。送信機モジュール８１４および受信機モジュール８１６は、１つまたはそれ以上のＵＥ８０２と通信することを、ｅＮｏｄｅＢ／基地局８０４に許可する。スケジューリングモジュール８１８は、ｅＭＢＭＳサービスをサポートするために、ユニキャストサービスを切断するというＵＥ８０２の決定に応答して、ＵＥ８０２に関するデータをスケジュールする。
【００７１】
いくつかの実施例において、図５―６および７―８に関連して、上記で論じられた技術は、結合されることができる。このような実施例において、ネットワークからの優先情報を受信することができるＥＵ１２０は、少なくとも一部分において、受信した優先情報に基づくユニキャストサービスにまさるｅＭＢＭＳサービスを優先することを選択し、そしてユニキャストサービスを自発的に切断することを決定したことをネットワークに通知する。
【００７２】
ここで説明されて、そして示された模範的なシステムの点から見て、開示された主題にしたがって実施され得る方法論は、様々なフローチャートを参照して、より良く評価されるだろう。一方、説明の単純化の目的のために、方法論は、一連の動作／ブロックとして示されそして説明され、主張された主題は、いくつかのブロックが、ここで描写されそして説明されることから、別のブロックと異なる順番でおよび／または実質的に同時に起こり得るので、ブロックの数または順番によって制限されないことが理解され、そして評価されるべきである。さらに、すべての例示されたブロックが、ここで説明された方法論を実施することを要求され得るわけではない。ブロックと関連付けられる機能性は、ソフトウェア、ハードウェア、それらの組み合わせ、いずれか別の適切な手段（例えば、装置、システム、過程、または、構成要素）によって実施されることができる。加えて、本明細書を通して開示された方法論が、製品の記事に保存され、様々な装置に対してこのような方法論を、転送（transferring）および移送（transporting）することを容易にすることができることをさらに評価されるべきである。当業者は、方法論が、状態図にあるように、一連の、相互に関係する状況または事象として、代案として表し得たことを、理解および評価するだろう。
【００７３】
ここで説明される実施例のひとつ、あるいは２つ以上の観点にしたがって、無線通信システムにおける同時ユニキャストおよびマルチキャスト／ブロードキャストサービスに関する模範的な技術が提供される。図９を参照して、例示されたものは，無線通信システムにおけるモバイルエンティティ（例えば、ＵＥまたは同種のもの）によって実行されることができる方法論９００である。方法９００は、９１０において、ＵＥの１つまたはそれ以上の能力を表示する第１メッセージを、無線通信システムとの初期接続時に、送信することを含むことができる。方法９００は、９２０において、ＵＥが、マルチキャスト／ブロードキャストサービスを受信しているか、またはまさに受信しようとしていることを表示する第２メッセージを送信することを含むことができる。方法９００は、９３０において、第２メッセージの結果として、１つまたはそれ以上の所定のルールにしたがってスケジュールされたデータを受信することを含むことができる。
【００７４】
関連する観点において、第１メッセージは、例えば、発展型ＵＭＴＳ地上無線アクセスネットワーク（Ｅ−ＵＴＲＡＮ）あるいはそれと同様のものによって要求されたＵＥ無線アクセス能力情報（UE radio access capability information）を提供するためのＵＥ―能力―情報メッセージ（UE Capability-Information message）を含むことができるか、または、ＵＥ―能力―情報メッセージであり得る。さらなる観点において、第２メッセージは、ＵＥのａＭＢＭＳサービスの要求またはａＭＢＭＳサービスへの関心を表示すために使用されることができる。例えば、第２メッセージは、ＵＥが、ＭＢＭＳサービスへのそれの関心または要求をシグナルすることを有するＭＢＭＳ―関心―表示メッセージ（MBMS-Interest-Indication message）を含むことができるか、またはＭＢＭＳ―関心―表示メッセージであることができる。
【００７５】
ＵＥは、ユニキャストとＭＢＭＳの間の優先度と同様に、それが、ＭＢＭＳサービスに関して、関心のあるいずれかの周波数をシグナルするためのＭＢＭＳ―関心―表示メッセージを使用することができる。もしＵＥが、与えられた周波数上で展開されるサービスに関心がある場合、ＵＥは、ＭＢＭＳ―関心―表示メッセージにおける与えられた周波数をシグナルすることができ、その結果、ｅＮＢが、与えられた周波数上のＭＢＭＳデータレートを考慮することによって、ユニキャストサービスをスケジュールすることができる。ｅＮＢが、ユニキャストスケジューリングを実施するとき、ｅＮＢは、与えられた周波数上の特定の時刻におけるＭＢＭＳデータレートを考慮することができ、そしてそれによってユニキャストスケジューリングを調整することができる。もし、ＵＥが，もはやＭＢＭＳサービスに関心が無い場合、ＵＥは、例えば、空リストをシグナルすることができ、その結果、ｅＮＢは、それが、ＭＢＭＳ送信に適応することなくユニキャストサービスをスケジュールするべきであることを知る。代案的として、または加えて、ＵＥはまた、第２メッセージにおける詳細な一時的なモバイルグループの識別（ＴＭＧＩ）（サービスＩＤ）をシグナルすることができる。このアプローチにおいて、ｅＮＢは、より多くの特異性、例えば、ｅＮＢは、ユニキャストデータが送信される時に、特定の時刻におけるＭＴＣＨを見ることができる、を有する特定のＵＥに関するユニキャストスケジューリングを考慮することができる。もし送信されたＭＴＣＨが、特定のＵＥが関心を持つ１つである場合、その時、ｅＮＢは、ユニキャストをスケジュールするためのＭＴＣＨデータレートを無視することができる、そうでなければ、ｅＮＢは、ＵＥが、その特定のＭＴＣＨに関心がないので、ＭＴＣＨデータレートを考慮することなく、ユニキャストをスケジュールすることができる。
【００７６】
図１０Ａ―Ｂを参照して、選択が自由であって、そして同時ユニキャストおよびマルチキャスト／ブロードキャストサービスを管理するためのモバイルエンティティによって実行されることができる方法９００のさらなる動作あるいは観点が示されている。図１０Ａ−Ｂに示されるブロックは、方法９００を実行することを要求されていないことが特筆されている。もし、方法９００が、図１０Ａ―Ｂの少なくとも１つのブロックを含む場合、その時、方法９００は、例示されることができる次に続くいずれかのダウンストリームブロックを、必ずしも含まなくてはならないことは無く、少なくとも１つのブロックの後、終了できる。ブロックの数字は、ブロックが、方法９００にしたがって実行されることができるところにおいて、特定の順序を含意しないことが、さらに特筆されている。例えば、図１０Ａを参照して、方法９００は、測定報告に対して、第２メッセージを付加することを含むことができる（ブロック１０１０）。方法９００は、ＵＥが、バイナリーステータスフラッグとしての第２メッセージにおけるマルチキャスト／ブロードキャストサービスを受信しているか、または受信しようとしているかどうかをシグナルすることを含むことができる（ブロック１０２０）。
【００７７】
第１メッセージは、ユニキャストサービスのみをサポートするＥＵに応答して、ユニキャスト能力の表示を含むことができる（ブロック１０３０）。第１メッセージは、ユニキャストサービスおよびマルチキャスト／ブロードキャストサービスの両方をサポートするＵＥに応答して、減らされたユニキャスト能力の表示を含むことができる（ブロック１０３２）。ユニキャスト能力は、カテゴリー１からカテゴリー８の範囲である（ブロック１０３４）。ユニキャスト能力は、マルチキャスト／ブロードキャストサービスを受信するＵＥに応答して、少なくとも一つの所定のレベルによってダウングレードされることができる（ブロック１０３６）。
【００７８】
図１０Ｂを参照して、第１メッセージは、マルチキャスト／ブロードキャストサービスのみをサポートするＵＥに応答して、マルチキャスト／ブロードキャスト能力の表示を含むことができる（ブロック１０４０）。第１メッセージは、ユニキャストサービスおよびマルチキャスト／ブロードキャストサービスの両方をサポートするＵＥに応答して、減らされたマルチキャスト／ブロードキャスト能力の表示を含むことができる。（ブロック１０４２）。マルチキャスト／ブロードキャスト能力は、カテゴリー１からカテゴリー８の範囲である（ブロック１０４４）。マルチキャスト／ブロードキャスト能力は、ユニキャストサービスを受信するＵＥに応答して、少なくとも１つの所定のレベルによって、ダウングレードされることができる（ブロック１０４６）。
【００７９】
データを受信すること（ブロック９３０）は、（ａ）マルチキャスト／ブロードキャストサービスに割り当てられたブロードキャストデータレートおよび（ｂ）第１メッセージを考慮するユニキャストデータレートにおけるユニキャストデータを受信することを含むことができる（ブロック１０５０）。所定のルールは、ダウンリンクブロードキャスト送信レートに基づくダウンリンクユニキャスト送信レートを調整することに関することができ、そして／または、ＵＥの１つまたはそれ以上の能力を織り込む（factor）または考慮することができる（ブロック１０６０）。
【００８０】
ここで説明される実施例の１つまたはそれ以上の観点にしたがって、図９−１０Ｂを参照して上記に説明されたように、同時ユニキャストおよびマルチキャスト／ブロードキャストサービスを管理するための装置および機器が提供される。図１１を参照して、モバイルエンティティとして、またはモバイルエンティティの範囲内での使用のためのプロセッサまたは類似の機器として構成されることができる装置１１００が提供される。装置１１００は、プロセッサ、ソフトウェア、またはそれらの組み合わせ（例えば、ファームウェア）によって実行される機能を表すことができる機能ブロックを含むことができる。
【００８１】
例えば、図１１の装置１１００は、ＵＥの１つまたはそれ以上の能力を、無線通信システムとの初期接続時に、表示す第１メッセージを送信するためことに関する電気的なコンポーネントまたはモジュール１１０２を含むことができる。例えば、電気的なコンポーネント１１０２は、送信機モジュールおよびＵＥの能力を検出するための命令を有するメモリに結合される少なくとも１つの制御プロセッサおよび／または同時サービス検出モジュールを含むことができる。電気的なコンポーネント１１０２は、ＵＥの１つまたはそれ以上の能力を、無線通信システムとの初期接続時に、表示する第１メッセージを送信するための手段であることができるか、またはその手段を含むことができる。上述の手段は、アルゴリズムを操作する送信機コンポーネントおよび少なくとも１つの制御プロセッサ（例えば、図２のＴＸ  ＭＩＭＯプロセッサ６６６、送信プロセッサ６６４、および／またはコントローラ／プロセッサ６８０）であるか、またはそれらを含むことができる。代案として、あるいは加えて、上記の手段は、アルゴリズムを操作する図４の同時サービス検出モジュール４１０およびＴＸモジュール４０６であるか、またはそれらを含むことができる。アルゴリズムは、図３Ａ―Ｃ、図１０Ａ―Ｂ、またはそれらのバリエーションにしたがって、例えば、ネットワークエンティティに対して、第１メッセージを送信することを含むことができる。
【００８２】
装置１１００は、ＵＥが、マルチキャスト／ブロードキャストサービスを受信しているか、またはまさに受信しようとしていることを表示する第２メッセージを送信するための電気的なコンポーネント１１０４を含むことができる。例えば、電気的なコンポーネント１１０４は、送信機モジュールとＵＥのステータス変更を報告するための命令を有するメモリに結合される少なくとも１つの制御プロセッサおよび／または同時サービス報告モジュールを含むことができる。電気的なコンポーネント１１０４は、ＵＥが、マルチキャスト／ブロードキャストサービスを受信しているか、または受信しようとしていることを表示する第２メッセージを送信するための手段であり得るか、またはそれを含むことができる。上述の手段は、アルゴリズムを操作する送信機コンポーネントおよび少なくとも１つの制御プロセッサ（例えば、図２のＴＸ  ＭＩＭＯプロセッサ６６６、送信プロセッサ６６４、および／またはコントローラ／プロセッサ６８０）であり得るか、またはそれを含むことができる。代案として、または加えて、上述の手段は、アルゴリズムを操作する図４の同時サービス報告モジュール４１２およびＴＸモジュール４０６であることができるか、またはそれを含むことができる。アルゴリズムは、例えば、図３Ａ−Ｃ、図１３Ａ−Ｂ、またはそれらのバリエーションの過程にしたがって、ネットワークエンティティに対して、第２メッセージを送信することを含むことができる。
【００８３】
装置１１００は、第２メッセージの結果、１つまたはそれ以上の所定のルールにしたがってスケジュールされたデータを受信するための電気的なコンポーネント１１０６を含むことができる。例えば、電気的なコンポーネント１１０６は、受信機モジュールまたはそれと同様のものを含むことができる。電気的なコンポーネント１１０６は、第２メッセージの結果、１つまたはそれ以上の所定のルールにしたがってスケジュールされたデータを受信するための手段であることができるか、またはそれを含むことができる。上述の手段は、受信機コンポーネント（例えば、図２のＭＩＭＯ検出器６５６および／または受信プロセッサ６５８）であることができるか、またはそれを含むことができる。代案として、あるいは併せて、上述の手段は、図４のＲＸモジュール４０８であり得るか、またはそれを含むことができる。
【００８４】
関連する観点において、装置１１００は、プロセッサとしてよりむしろモバイルエンティティとして構成される装置１１００の場合、少なくとも１つのプロセッサを有するプロセッサコンポーネント１１１０を選択自由に含むことができる。こういった場合、プロセッサ１１１０は、バス１１１２または同様の通信カップリングを介して、コンポーネント１１０２―１１０６と有効な通信状態であり得る。プロセッサ１１１０は、電気的なコンポーネント１１０２―１１０６によって実行される機能または過程のスケジューリングおよび開始に影響を与えることができる。
【００８５】
さらに関連した観点において、装置１１００は、無線送受信機コンポーネント１１１４を含むことができる。例えば、スタンドアロン型受信機および／またはスタンドアロン型送信機は、送受信機（transceiver）１１１４と連結して、またはそれの代わりに、使われることがでる。装置１１００は、例えば、メモリ装置／コンポーネント１１１６のような情報を記憶するためのコンポーネントを選択自由に含むことができる。コンピュータ読取可能媒体またはメモリコンポーネント１１１６は、バス１１１２またはそれと同様のものを介して、装置１１００の別のコンポーネントと、動作可能なように連結されることができる。メモリコンポーネント１１１６は、コンポーネント１１０２−１１０６、およびそれらのサブコンポーネント、またはプロセッサ１１１０、またはここで開示される方法の動作および過程に影響を与えるためのコンピュータ読取可能データおよび命令を記憶するために適用されることができる。メモリコンポーネント１１１６は、コンポーネント１１０２―１１０６に関連する機能を実行するための命令を保持することができる。メモリ１１１６の外部であると示されるが、コンポーネント１１０２―１１０６は、メモリ１１１６の内側に存在することができると理解されるべきである。
【００８６】
ここで説明される実施例の１つまたはそれ以上観点にしたがって、無線通信システムにおける同時ユニキャストおよびマルチキャスト／ブロードキャストサービスに関する別の模範的な技術が提供される。図９を参照して、例示されたものは、無線通信システムにおけるネットワークエンティティ（例えば、ｅＮｏｄｅＢまたは同様のもの）によって実行されることができる方法論１２００である。方法１２００は、１２１０において、無線通信システムとのＵＥの初期接続時に、ＵＥの１つまたはそれ以上の能力を表示する第１メッセージを、ＵＥから、受信することを含むことができる。方法１２００は、１２２０において、ＵＥが、マルチキャスト／ブロードキャストサービスを受信しているか、またはまさに受信しようとしていることを表示するＵＥから、第２メッセージを受信することを含むことができる。方法１２００は、１２３０において、第２メッセージに応答して、１つまたはそれ以上の所定のルールにしたがって、ＵＥに関するダウンリンクデータをスケジュールすることを含むことができる。
【００８７】
図１３Ａ―Ｂを参照して、同時ユニキャストおよびマルチキャスト／ブロードキャストサービスを管理するためのネットワークエンティティによって実行されることができ、および選択自由である方法１２００のさらなる操作または観点が示される。図１３Ａ−Ｂに示されるブロックは、方法１２００を実行することを要求されないことが特筆されている。もし、方法１２００が、図１３Ａ―Ｂの少なくとも１つのブロックを含む場合、その時、方法１２００は、例示されることができるいずれか次のダウンストリームブロックを必ずしも含まず、少なくとも１つのブロックの後に終了することができる。ブロックの数字は、ブロックが、方法１２００にしたがって実行されることができるところにおける特定の順序を暗示していないことが、さらに特筆される。例えば、図１３Ａを参照して、１つまたはそれ以上の所定のルールは、第２メッセージが、ＵＥが、ユニキャストおよびマルチキャスト／ブロードキャストサービスの同時のサポートを開始していることを表示するとき、ＵＥ―カテゴリー―ベースの送信パラメータを含む１つまたはそれ以上のルックアップテーブルの第１セットを調べることを含む（ブロック１３１０）。１つまたはそれ以上の所定のルールは、第２メッセージが、ＵＥが、ユニキャストおよびマルチキャスト／ブロードキャストサービスの同時サポートを終了していることを表示するとき、ＵＥ―カテゴリー―ベースの送信パラメータを含む１つまたはそれ以上のルックアップテーブルの第２セットを調べることを含む（ブロック１３１２）。１つまたはそれ以上のルックアップテーブルの第１セットは、特定のＵＥのカテゴリーに関して、特定のＵＥのカテゴリーに関して含む１つまたはそれ以上のルックアップテーブルの第２セットよりも小さいユニキャスト受信に関するトランスポートブロックサイズを、含むことができる（ブロック１３１４）。
【００８８】
１つまたはそれ以上の所定のルールは、第２メッセージが、ＵＥが、ユニキャストおよびマルチキャスト／ブロードキャストサービスの同時サポートを開始していることを表示する時に、ＵＥに関連するカテゴリーを、複数のレベルの所定の数値によって、ダウングレードすることを含む（ブロック１３２０）。１つまたはそれ以上の所定のルールは、第２メッセージが、ＵＥが、ユニキャストおよびマルチキャスト／ブロードキャストサービスの同時サポートを終了していることを示すときに、ＵＥに関連するカテゴリーを、名目上の値に、復元することを含む（ブロック１３２２）。ＵＥに関連するカテゴリーは、ユニキャストサービスのみに関してダウングレードされることができる（ブロック１３２４）。関連する観点において、ブロック１３２０―１３２４０の１つまたはそれ以上は、自動的に実行されることができる。
【００８９】
図１３Ｂを参照して、第１メッセージは、ユニキャストサービスのみをサポートするＵＥに応答して、ユニキャスト能力の表示を含むことができる。（ブロック１３３０）。第１メッセージは、ユニキャストサービスおよびマルチキャスト／ブロードキャストサービスの両方をサポートするＵＥに応答して、減らされたユニキャスト能力の表示を含むことができる（ブロック１３３２）。
【００９０】
第１メッセージは、マルチキャスト／ブロードキャストサービスのみをサポートするＵＥに応答して、マルチキャスト／ブロードキャスト能力の表示を含むことができる（ブロック１３４０）。第１メッセージは、ユニキャストサービスおよびマルチキャスト／ブロードキャストサービスの両方をサポートするＵＥに応答して、減らされたマルチキャスト／ブロードキャスト能力の表示を含むことができる。（ブロック１３４２）。
【００９１】
データをスケジュールすること（ブロック１２３０）は、（ａ）マルチキャスト／ブロードキャストサービスに割り当てられるブロードキャストデータレートおよび（ｂ）第１メッセージを考慮するユニキャストデータレートにおいて、ユニキャストデータの送信をスケジュールすることを含むことができる（ブロック１３５０）。所定のルールは、ダウンリンクブロードキャスト送信レートに基づくダウンリンクユニキャスト送信レートを調整することに関することができ、そして／またはＵＥの１つまたはそれ以上の能力を考慮することができる（ブロック１３６０）。
【００９２】
ここで説明される実施例の１つまたはそれ以上の観点にしたがって、図１２−１３Ｂを参照して上述されたように、同時ユニキャストおよびマルチキャスト／ブロードキャストサービスを管理するための装置および機器が提供される。図１４を参照して、ネットワークエンティティとして、またはネットワークエンティティの範囲内での使用のためのプロセッサまたは同様の装置として構成されることができる装置１４００が提供される。装置１４００は、プロセッサ、ソフトウェア、またはそれらの組み合わせ（例えば、ファームウェア）によって実施される機能を表すことができる機能ブロックを含むことができる。
【００９３】
例えば、装置１４００は、無線通信システムとのＵＥの初期接続時に、ＵＥの１つまたはそれ以上の能力を表示する第１メッセージを、ＵＥから、受信するためのモジュール１４０２または電気的なコンポーネントを含むことができる。例えば、電気的なコンポーネント１４０２は、受信機モジュールまたはそれと同様のものを含むことができる。電気的コンポーネント１４０２は、無線通信システムとのＵＥの初期接続時に、ＥＵの１つまたはそれ以上の能力を表示する第１メッセージを、ＵＥから、受信するための手段であり得るか、またはその手段を含むことができる。上述の手段は、受信機コンポーネント（例えば、図２のＭＩＭＯ検出器６３６および／または受信機プロセッサ６３８）であり得るか、またはそれを含むことができる。代案として、または加えて、上述の手段は、図４のＲＸモジュール４１６である得るか、またはそれを含むことができる。
【００９４】
装置１４００は、ＵＥが、マルチキャスト／ブロードキャストサービスを受信しているか、またはまさに受信しようとしていることを表示するＵＥから、第２メッセージを受信するための電気的コンポーネント１４０４を含むことができる。例えば、電気的コンポーネント１４０４は、受信機モジュールまたはそれと同様のものを含むことができる。電気的コンポーネント１４０４は、ＵＥが、マルチキャスト／ブロードキャストサービスを受信しているか、またはまさに受信しようとしていることを表示するＵＥから、第２メッセージを受信するための手段であり得るか、またはそれを含むことができる。上述の手段は、受信機コンポーネント（例えば、図２のＭＩＭＯ検出器６３６および／または受信機プロセッサ６３８）であり得るか、またはそれを含むことができる。代案として、または加えて、上述の手段は、図４のＲＸモジュール４１６であり得るか、またはそれを含むことができる。
【００９５】
装置１４００は、第２メッセージに応答して、１つまたはそれ以上の所定のルールに従って、ＵＥに関するダウンリンクデータをスケジュールするための電気的コンポーネント１４０６を含むことができる。例えば、電気的コンポーネント１４０６は、送信機モジュールおよびダウンリンクデータをスケジュールするための命令を有するメモリに結合される、少なくとも１つのコントロールプロセッサおよび／またはスケジューリングモジュールを含むことができる。電気コンポーネント１４０６は、第２メッセージに応答して、１つまたはそれ以上の所定のルールにしたがって、ＵＥに関するダウンリンクデータをスケジュールための手段であるか、またはそれを含むことができる。上述の手段は、アルゴリズムを操作する少なくとも一つの制御プロセッサ（例えば、図２のメモリ６４２、スケジューラ６４４、および／またはコントローラ／プロセッサ６４０）であるか、またはそれを含むことができる。代案として、または加えて、上述の手段は、アルゴリズムを操作する図４のスケジューリングモジュール４１８であり得るか、またはそれを含むことができる。アルゴリズムは、例えば、図３Ａ−Ｃ、図１３Ａ−Ｂ、またはそれらのバリエーションの過程に従って、ダウンリンクデータをスケジュールすることを含むことができる。
【００９６】
簡潔さのために、装置１４００に関する残りの詳細は、さらに詳しく述べないが、しかし装置１４００の残りの観点および機能は、図１１の装置１１００に関して上述したことに実質的に類似していることが、理解されるべきである。しかし、装置１４００は、ネットワークエンティティ（例えば、ｅＮｏｄｅＢまたは同様のもの）であり得，その一方で、装置１１００は、モバイルエンティティ（例えば、ＥＵまたはそれと同様のもの）であり得る。このようにして、装置１４００は、別のネットワークエンティティまたはコアネットワークを妨げるための、ネットワークインターフェースコンポーネント１４１５をさらに含むことができる。
【００９７】
再度上記の図３Ａ―３Ｃ、５、７、９―１０Ｂおよび１２―１３Ｂを参照して、実行されるそれらの図面において描写される様々なアクションにおける順序は、特定の実施例に依存して、上記の説明と異なる。同様に、いくつかの実施例において、アクションは、これらの図面に示されない下位のアクションに分割される。別の実施例において、これらの図面に示されるアクションは単一のアクションに結合される。さらに別の実施例において、これらの図面に示されるアクションは省略されることができ、あるいはこれらの図面に示されないアクションは、追加されることができる。図３Ａ―３Ｃ、５、および７に関連する説明は、これらの点のいずれかにおいて限定していることを意図するものではない。
【００９８】
当業者は、情報および信号が、様々な異なる技術および技法のいずれかを使ってあらわされることができることを理解するであろう。例えば、上記の説明を通じて参照されることができるチップ、記号、ビッツ、信号、情報、コマンド、命令、およびデータは、電圧、電流、電磁波、磁場、または粒子、光場または粒子、または、それらのいずれかの組み合わせによって表されることができる。
【００９９】
当業者は、ここでの開示に関連して説明される様々な例示的な論理ブロック、モジュール、回路、アルゴリズムステップが、電気的なハードウェア、コンピュータソフトウェア、または両方の組み合わせとして実行されることができることをさらに評価するであろう。ハードウェアとソフトウェアのこの互換性を明確に例示するために、様々な例示的なコンポーネント、ブロック、モジュール、回路、およびステップは、一般的にそれらの機能性に関して、上記で説明された。このような機能性が、ハードウェアまたはソフトウェアとして実行されるかどうかは、全体のシステムに課せられた特定のアプリケーションおよびデザインの制約に依存する。
【０１００】
当業者は、各特定のアプリケーションに関する方法を変更することにおいて、説明された機能を実行することができるが、しかしこのような実施の決定が、本開示の範囲からの逸脱を引き起こすこととして解釈されるべきではない。
【０１０１】
ここでの開示と関連して説明される様々な例示的な論理ブロック、モジュール、および回路は、ここで説明される機能を実行するために設計された一般―目的プロセッサ、デジタル信号プロセッサ（ＤＳＰ）、アプリケーション特定集積回路（application specific integrated circuit）（ＡＳＩＣ）、フィールドプログラ可能ゲートアレイ（ＦＰＧＡ）、またはその他のプログラム可能ロジック装置、離散型ゲート（discrete gate）、またはトランジスタ論理、離散型ハードウェアコンポーネント、またはそれらのいずれかの組み合わせを用いて実行あるいは実現され得る。一般―目的プロセッサは、マイクロプロセッサであり得るが、しかし、代案として、プロセッサは、従来型のプロセッサ、コントローラ、マイクロコントローラ、または状態機械のいずれかであり得る。プロセッサはまた、コンピュータ装置の組み合わせ、例えば、ＤＳＰおよびマイクロプロセッサの組み合わせ、複数のマイクロプロセッサ、ＤＳＰコアと結合する１つまたはそれ以上のマイクロプロセッサ、またはいずれか別のこのような構成として実施されることができる。
【０１０２】
ここでの開示と関連して説明されるアルゴリズムまたは方法のステップは、プロセッサによって実行されるソフトウェアモジュール、ハードウェアにおいて、またはその２つの組み合わせにおいて直接的に具体化されることができる。ソフトウェアモジュールは、当技術で知られる、ＲＡＭメモリ、フラッシュメモリ、ＲＯＭメモリ、ＥＰＲＯＭメモリ、ＥＥＰＲＯＭメモリ、抵抗体、ハードディスク、リムーバルディスク、ＣＤ−ＲＯＭ、または記憶媒体のいずれか別の形式で存在する。模範的な記憶媒体は、プロセッサが、記憶媒体から情報を読込み、および記憶媒体に情報を書込むことができるようなプロセッサに結合される。選択的に、記憶媒体は、プロセッサに対して必須であり得る。プロセッサおよび記憶媒体は、ＡＳＩＣに存在することができる。ＡＳＩＣはユーザー端末に存在することができる。選択的に、プロセッサおよび記憶媒体は、ユーザー端末において、離散型コンポーネントとして存在することができる。
【０１０３】
１つまたはそれ以上の模範的なデザインにおいて、説明された機能は、ハードウェア、ソフトウェア、ファームウェア、あるいはそれらのいずれかの組み合わせにおいて実施されることができる。ソフトウェアにおいて実施される場合、機能は、コンピュータ−読取可能媒体上の１つまたはそれ以上の命令またはコードとして、記憶され、または送信されることができる。コンピュータ−読取可能媒体は、１つの場所から別の場所へ、コンピュータプログラムの転送を容易にするいずれかの媒体を含む通信メディアおよびコンピュータ記憶メディアの両方を含む。記憶媒体は、一般的な目的または特別な目的のコンピュータによってアクセスされることができるいずれか利用可能なメディアであり得る。例として、限定ではなく、このようなコンピュータ−読取可能媒体は、命令またはデータ構造の形式において望ましいプログラムコード手段を運ぶため、または記憶するために使われることができ、そして一般―目的、または特別―目的のコンピュータ、あるいは一般―目的または特別−目的のプロセッサによってアクセスされることができるＲＡＭ、ＲＯＭ、ＥＥＰＲＯＭ、ＣＤ―ＲＯＭまたはその他の光学ディスク記憶装置、磁気ディスク記憶装置、または別の磁気記憶装置、またはいずれか別の媒体を含むことができる。また、いずれの接続も、コンピュータ−読取可能媒体を適切に終わらせる。例えば、もしソフトウェアが、同軸ケーブル、光ファイバーケーブル、対より線（twisted pair）、デジタル加入者線（ＤＳＬ）（digital subscriber line）、または非―一時的無線テクノロジ（non-transitory wireless technologies）を使うウェブサイト、サーバー、または別の遠隔ソース、から送信される場合、その時、同軸ケーブル、光ファイバーケーブル、対より線、ＤＳＬ、または非―一時的無線テクノロジは、媒体の定義に含まれる。ここで使われるように、Ｄｉｓｋおよびｄｉｓｋは、コンパクトディスク（ＣＤ）、レーザーディスク（登録商標）、光学ディスク、デジタル多目的ディスク（ＤＶＤ）、フロッピー（登録商標）ディスク、およびブルー―レイディスクを含み、そこでディスクは通常データを磁気的に再生し、その一方で、ディスクはレーザーを用いてデータを光学的に再生する。上記の組み合わせはまた、コンピュータ−読取可能媒体の適用範囲内に含まれるべきである。
【０１０４】
本開示の前の説明は、いずれの当業者にも本開示を作成または使うことができるよう提供されている。本開示に対する様々な修正は、当業者にとって簡単に理解できるであろう、そしてここで定義された一般的な原則は、本開示の適用範囲または精神から離れることなく、別のバリエーション（variations）に適用されることができる。このように、本開示は、ここで説明される設計および例に限定されることを意図するものではないが、ここで開示される新規の機構および原則と一致するもっとも広い適用範囲を受けるべきである。
以下に、本件出願当初の特許請求の範囲に記載された発明を付記する。
[Ｃ１]無線通信システムにおいて、ユーザー装置（ＵＥ）を操作するための方法であって、
前記方法は下記を具備する、
前記無線通信システムとの初期接続時に、前記ＵＥの１つまたはそれ以上の能力を表示する第１メッセージを送信することと、
前記ＵＥがマルチキャスト／ブロードキャストサービスを受信しているか、またはまさに受信しようとしていることを表示する第２メッセージを送信することと、
前記第２メッセージの結果として、１つまたはそれ以上の所定のルールにしたがってスケジュールされたデータを受信すること。
[Ｃ２]前記ＵＥが、測定報告に、前記第２メッセージを付加する、請求項１の方法。
[Ｃ３]前記ＵＥが、それが、バイナリーステータスフラッグとして、前記第２メッセージにおける前記マルチキャスト／ブロードキャストサービスを受信しているか、またはまさに受信しようとしているかどうかをシグナルする、請求項１の方法。
[Ｃ４]前記第１メッセージが、ユニキャストサービスのみをサポートする前記ＵＥに応答して、ユニキャストの能力の表示を備える、請求項１の方法。
[Ｃ５]前記第１メッセージが、前記ユニキャストサービスおよび前記マルチキャスト／ブロードキャストサービスの両方をサポートする前記ＵＥに応答して、減らされたユニキャストの能力の表示を備える、請求項４の方法。
[Ｃ６]前記ユニキャストの能力は、カテゴリー１からカテゴリー８までの範囲である、Ｃ４の方法。
[Ｃ７]前記ユニキャストの能力は、前記マルチキャスト／ブロードキャストサービスを受信する前記ＵＥに応答して、少なくとも１つの所定のレベルによってダウングレードされる、Ｃ６の方法。
[Ｃ８]前記第１メッセージは、前記マルチキャスト／ブロードキャストサービスのみをサポートする前記ＵＥに応答して、マルチキャスト／ブロードキャストの能力の表示を備える、Ｃ１の方法。
[Ｃ９]前記第１メッセージは、ユニキャストサービスおよび前記マルチキャスト／ブロードキャストサービスの両方をサポートする前記ＵＥに応答して、減らされたマルチキャスト／ブロードキャストの能力の表示を備える、Ｃ８の方法。
[Ｃ１０]前記マルチキャスト／ブロードキャストの能力は、カテゴリー１からカテゴリー８の範囲である、Ｃ８の方法。
[Ｃ１１]前記マルチキャスト／ブロードキャストの能力は、ユニキャストサービスを受信する前記ＵＥに応答して、少なくとも１つの所定のレベルによってダウングレードされる、Ｃ１０の方法。
[Ｃ１２]前記データを受信することは、（ａ）前記マルチキャスト／ブロードキャストサービスに割り当てられるブロードキャストデータレートおよび（ｂ）前記第１メッセージを考慮するユニキャストデータレートにおいて、ユニキャストデータを受信することを備える、Ｃ１の方法。
[Ｃ１３]前記複数の所定のルールは、ダウンリンクブロードキャスト送信レートに基づいたダウンリンクユニキャスト送信レートを調整することに関する、Ｃ１の方法。
[Ｃ１４]前記複数の所定のルールは、前記ＵＥの前記１つまたはそれ以上の能力を考慮する、Ｃ１の方法。
[Ｃ１５]無線通信システムとの初期接続時に、ユーザー装置（ＵＥ）の１つまたはそれ以上の能力を表示する第１メッセージを送信するための手段と、
前記ＵＥが、マルチキャスト／ブロードキャストサービスを受信しているか、またはまさに受信しようとしていることを表示する第２メッセージを送信するための手段と、
１つまたはそれ以上の所定のルールにしたがってスケジュールされたデータを、前記第２メッセージの結果として受信するための手段と、
を備える、装置。
[Ｃ１６]ユーザー装置（ＵＥ）の１つまたはそれ以上の能力を表示する第１メッセージを無線通信システムとの初期接続時に送信し、前記ＵＥが、マルチキャスト／ブロードキャストサービスを受信しているか、またはまさに受信しようとしていることを表示する第２メッセージを送信し、そして１つまたはそれ以上の所定のルールに従ってスケジュールされたデータを、前記第２メッセージの結果として受信するように構成された少なくとも１つのプロセッサと、
データを記憶するための前記少なくとも１つのプロセッサに結合されたメモリと、
を備える装置。
[Ｃ１７]コンピュータプログラムプロダクトは下記を備え、
コンピュータに下記をさせるためのコードを具備するコンピュータ読取可能媒体、
ユーザー装置（ＵＥ）の１つまたはそれ以上の能力を表示する第１メッセージを、無線通信システムとの初期接続時に送信することと、
前記ＵＥが、マルチキャスト／ブロードキャストサービスを受信しているか、またはまさに受信しようとしていることを表示する第２メッセージを送信することと、
１つまたはそれ以上の所定のルールにしたがってスケジュールされたデータを、前記第２メッセージの結果として受信することと。
[Ｃ１８]無線通信システムにおけるネットワークエンティティによって操作するための方法であって、
前記方法は下記を備える、
前記ＵＥの１つまたはそれ以上の能力を表示する第１メッセージを、ユーザー装置（ＵＥ）から、前記無線通信システムと前記ＵＥの初期接続時に受信することと、
前記ＵＥが、マルチキャスト／ブロードキャストサービスを受信しているか、またはまさに受信しようとしていることを表示する前記ＵＥから第２メッセージを受信することと、
前記第２メッセージに応答して、１つまたはそれ以上の所定のルールにしたがって、前記ＵＥに関するダウンリンクデータをスケジュールすることと。
[Ｃ１９]１つまたはそれ以上の所定のルールは、前記第２メッセージが、前記ＵＥが、ユニキャストおよびマルチキャスト／ブロードキャストサービスの同時サポートを開始していることを表示するとき、ＵＥ−カテゴリー−ベースの複数の送信パラメータを含む１つまたはそれ以上のルックアップテーブルの第１セットを調べることと、
前記第２メッセージが、前記ＵＥが、ユニキャストおよびマルチキャスト／ブロードキャストサービスの同時サポートを終了していることを表示するとき、ＵＥ−カテゴリー−ベースの複数の送信パラメータを含む１つまたはそれ以上のルックアップテーブルの第２セットを調べることと、
を含む、Ｃ１８の方法。
[Ｃ２０]１つまたはそれ以上のルックアップテーブルの前記第１セットは、特定のＵＥのカテゴリーに関して、前記特定のＵＥのカテゴリーに関して含む１つまたは２以上のルックアップテーブルの前記第２セットよりも小さいユニキャストの受信に関するトランスポートブロックサイズを含む、Ｃ１９の方法。
[Ｃ２１]前記１つまたはそれ以上の所定のルールは、
前記第２メッセージが、前記ＵＥが、ユニキャストおよびマルチキャスト／ブロードキャストサービスの同時サポートを開始していることを表示するとき、前記ＵＥに関連するカテゴリーを、複数のレベルの所定の数値によって、ダウングレードすることと、
前記第２メッセージは、前記ＵＥが、ユニキャストおよびマルチキャスト／ブロードキャストサービスの同時サポートを終了していることを表示するとき、前記ＵＥに関連する前記カテゴリーを、名目上の値に復元することと、
を含む、Ｃ１８の方法。
[Ｃ２２]前記ＵＥに関連する前記カテゴリーは、ユニキャストサービスのみに関してダウングレードされる、Ｃ２１の方法。
[Ｃ２３]前記第１メッセージは、ユニキャストサービスのみをサポートする前記ＵＥに応答して、ユニキャストの能力の表示を備える、Ｃ１８の方法。
[Ｃ２４]前記第１メッセージは、前記ユニキャストサービスおよび前記マルチキャスト／ブロードキャストサービスの両方をサポートする前記ＵＥに応答して、減らされたユニキャストの能力の表示を備える、Ｃ２３の方法。
[Ｃ２５]前記第１メッセージは、前記マルチキャスト／ブロードキャストサービスのみをサポートする前記ＵＥに応答して、マルチキャスト／ブロードキャストの能力の表示を備える、Ｃ１８の方法。
[Ｃ２６]前記第１メッセージは、ユニキャストサービスおよび前記マルチキャスト／ブロードキャストサービスの両方をサポートする前記ＵＥに応答して、減らされたマルチキャスト／ブロードキャストの能力の表示を備える、Ｃ２５の方法。
[Ｃ２７]前記データをスケジュールすることは、（ａ）前記マルチキャスト／ブロードキャストサービスに割り当てられたブロードキャストデータレートおよび（ｂ）前記第１メッセージを考慮するユニキャストデータレートにおけるユニキャストデータの送信をスケジュールすることを備える、Ｃ１８の方法。
[Ｃ２８]前記所定の複数のルールは、ダウンリンクブロードキャスト送信レートに基づくダウンリンクユニキャスト送信レートを調整することに関する、Ｃ１８の方法。
[Ｃ２９]前記所定の複数のルールは、前記ＵＥの前記１つまたはそれ以上の能力を考慮する、Ｃ１８の方法。
[Ｃ３０]前記ネットワークエンティティは、ｅＮｏｄｅＢを備える、Ｃ１８の方法。
[Ｃ３１]前記ＵＥの１つまたはそれ以上の能力を表示する第１メッセージを、ユーザー装置（ＵＥ）から、無線通信システムと前記ＵＥの初期接続時に受信するための手段と、
前記ＵＥが、マルチキャスト／ブロードキャストサービスを受信しているか、またはまさに受信しようとしていることを表示する前記ＵＥから、第２メッセージを受信するための手段と、
前記第２メッセージに応答して、１つまたはそれ以上の所定のルールにしたがって、前記ＵＥに関するダウンリンクデータをスケジュールするための手段と、
を備える装置。
[Ｃ３２]前記ＵＥの１つまたはそれ以上の能力を表示する第１メッセージを、ユーザー装置（ＵＥ）から、無線通信システムと前記ＵＥの初期接続時に受信し、前記ＵＥが、マルチキャスト／ブロードキャストサービスを受信しているか、またはまさに受信しようとしていることを表示する前記ＵＥから第２メッセージを受信し、そして前記第２メッセージに応答して、１つまたはそれ以上の所定のルールに従って、前記ＵＥに関するダウンリンクデータをスケジュールするように構成された少なくとも１つのプロセッサと、
データを記憶するための少なくとも１つの前記プロセッサに結合されたメモリと、
を備える１つの装置。
[Ｃ３３]コンピュータプログラムプロダクトは下記を備え、
コンピュータに下記をさせるためのコードを具備するコンピュータ−読取可能媒体、
前記ＵＥの１つまたはそれ以上の能力を表示する第１メッセージを、ユーザー装置（ＵＥ）から、無線通信システムと前記ＵＥの初期接続時に受信することと、
前記ＵＥが、マルチキャスト／ブロードキャストサービスを受信しているか、またはまさに受信しようとしていることを表示する前記ＵＥから第２メッセージを受信することと、
前記第２メッセージに応答して、１つまたはそれ以上の所定のルールに従って、前記ＵＥに関するダウンリンクデータをスケジュールすることと。
【図１】
0005833226.tif 000005
【図２】
0005833226.tif 000006
【図３Ａ】
0005833226.tif 000007
【図３Ｂ】
0005833226.tif 000008
【図３Ｃ】
0005833226.tif 000009
【図４】
0005833226.tif 000010
【図５】
0005833226.tif 000011
【図６】
0005833226.tif 000012
【図７】
0005833226.tif 000013
【図８】
0005833226.tif 000014
【図９】
0005833226.tif 000015
【図１０Ａ】
0005833226.tif 000016
【図１０Ｂ】
0005833226.tif 000017
【図１１】
0005833226.tif 000018
【図１２】
0005833226.tif 000019
【図１３Ａ】
0005833226.tif 000020
【図１３Ｂ】
0005833226.tif 000021
【図１４】
0005833226.tif 000022